(57)【特許請求の範囲】
【請求項１】
１以上の農薬で処理されたネット（３０、３１）により形成される１以上の貯蔵構造体（２）を含み、貯蔵貨物（５０）を囲むことができる、貯蔵室（１）における貯蔵貨物（５０）を保護するためのシステムであって、
貯蔵構造体（２）が、支持枠（１０）、支持枠を吊るすための手段（３５）を更に含み、
前記システムが、支持枠（１０）が吊るされた状態で貯蔵構造体（２）の少なくとも１の部分（１３）を開閉するための手段、および、ネット（３０、３１）が絡まり、ネット（３０、３１）にかかる力が支持枠（１０）または吊るす手段（３５）の一定の最大荷重許容量を超える場合に貯蔵構造体の全体の構造崩壊を避けるための手段（３２）を更に含み、全体の構造崩壊を避けるための手段（３２）は、ネット（３０）を引っ張る力が支持枠（１０）または吊るす手段（３５）の一定の最大荷重を超える場合に全体の構造崩壊を避けるための手段がネットを支持枠から解放するように、ネット（３０）を支持枠（１０）に固定するために適応されることを特徴とする、前記システム。
【請求項２】
支持枠を吊るすための手段（３５）が、
Ａ）支持枠（１０）を貯蔵室（１）の天井（６）に取り付けるために適応され、吊るす手段（３５）を貯蔵室（１）の天井（６）および／または支持構造に取り付けるための固定手段（３５ａ）並びに支持枠（１０）を固定手段（３５ａ）に連結するための連結要素（３５ｂ）を含む、または、
Ｂ）支持枠（１０）を貯蔵室（１）の少なくとも２の壁（５）に取り付けるために適応され、吊るす手段（３５）を壁（５）に取り付けるための固定手段（３５ａ）および支持枠（１０）を固定手段（３５ａ）に連結するための連結要素（３５ｂ）を含み、ここで、固定手段（３５ａ）は、クランプ（４０）、ブラケットおよび／またはボルト（４４）を含む、または、
Ｃ）貯蔵室（１）の床（４）上に置かれるおよび／または固定されるために適応され、強固な桁（８３）および支持枠（１０）を支えるための連結要素を含む台（８０）として構成されている、
請求項１に記載のシステムであって、
連結要素は、強固な桁（８３）、ロープ、ケーブル、鎖および／または滑車を含み、ロープ、ケーブルおよび／または鎖は引張要素を備え、連結要素は固定要素を使用して支持枠（１０）に固定され、固定要素はねじ、ナット、くぎおよび／またはにかわを含む、
前記システム。
【請求項３】
農薬が殺虫剤である、請求項１または２に記載のシステム。
【請求項４】
貯蔵構造体（２）の全ての４つの側面および頂部を形成している単一の３次元ネット３０である１つのネット（３０）が用いられる、請求項１〜３のいずれか１項に記載のシステム。
【請求項５】
追加のネット材料（１０６）が、開閉するための部分（３１）と、開閉するための部分（３１）に隣接するネット（３０）の２つの側面との間の継目（１０２）の位置またはその近くに含まれる、請求項１〜４のいずれか１項に記載のシステム。
【請求項６】
１以上のネット（３０、３１）の一部分（５２）が床（４）上に溜まる、および／または重り付きロープを含む、請求項１〜５のいずれか１項に記載のシステム。
【請求項７】
支持枠（１０）が１以上の部分（１２）から構成され、各部分（１２）は強固な桁、ロープ、ケーブルおよび／または鎖を含む、請求項１〜６のいずれか１項に記載のシステムであって、各部分は、案内ロープ、クランプ、溝、ボルト、ホックおよび／またはローラーを含む１以上の農薬で処理されたネット（３０、３１）を固定するための手段を備え、支持枠（１０）は、枠の部分（１２）を結合するための結合要素（１４）を更に含み、支持枠（１０）は、支持枠（１０）を支持枠を吊るすための手段（３５）に連結するための連結要素（１６）を含む、前記システム。
【請求項８】
支持枠（１０）の少なくとも１の部分（１２）が押出形材部品（１８）である強固な桁を含む、請求項７に記載のシステム。
【請求項９】
貯蔵構造体（２）の少なくとも１の部分を開閉するための手段がモーター（５４）およびモーターを制御するための手段を含む、請求項１〜８のいずれか１項に記載のシステム。
【請求項１０】
支持枠（１０）の少なくとも１の部分（１３）上のネットが、ロープをモーター（５４）により引っ張ることができるように準備されたロープ（５８）を備えている、請求項９に記載のシステムであって、ロープ（５８）はネット（３１）の底部まで伸びる、またはロープ（５８）は支持枠（１０）から吊るされ、ネット（３１）を保持するストラップを形成する、前記システム。
【請求項１１】
モーターを制御するための手段が有線式遠隔操作（６０）、ＲＦもしくはＩＲ無線式遠隔操作（６２）または運動センサの内の１である、請求項９または１０に記載のシステム。
【請求項１２】
全体の構造崩壊を避けるための手段が、破壊点を備える、１以上の面ファスナー(Velcro strips)、圧縮クランプストリップ（３２）、保持用クランプ、ボルトまたはホックである、請求項１〜１１のいずれか１項に記載のシステム。
【請求項１３】
害虫の感染を監視するための手段を更に含む、請求項１〜１２のいずれか１項に記載のシステム。
【請求項１４】
請求項１〜１３のいずれか１項に記載のシステムを貯蔵室（１）に設置する工程および貨物（５０）を貯蔵構造体（２）の内部に置く工程を含み、システムは昆虫および害虫がシステム内部の空間に入ることを妨げる、貯蔵室（１）において害虫から貯蔵貨物（５０）を保護するための方法。
【請求項１５】
支持枠（１０）の少なくとも１の部分（１３）上のネット（３１）が貯蔵構造体（２）を開閉するための手段を備えている請求項１４に記載の方法であって、貯蔵構造体（２）は、貨物（５０）を貯蔵構造体（２）の中にまたは貯蔵構造体（２）から移動する／取り出す前に開けられ、その後閉められる、前記方法。
【請求項１６】
貯蔵構造体（２）を開閉するための手段がモーターおよび前記モータを制御するための運動センサを含む、請求項１５に記載の方法であって、貯蔵構造体（２）の開口部分（１３）は運動センサが既定時間中に全く動きを検出しなかった場合に自動的に閉められる、前記方法。
【請求項１７】
害虫レベルが監視される、請求項１４〜１６のいずれか１項に記載の方法であって、１以上のネット（３０、３１）は害虫レベルが上昇したら新しいものと交換される、前記方法。
【発明の詳細な説明】
【技術分野】
【０００１】
本発明は、害虫から貯蔵室における貯蔵貨物を保護するためのシステムおよび該システムを適用することにより害虫から貯蔵室における貯蔵貨物を保護するための方法に関する。
【背景技術】
【０００２】
天然起源の多くの食物、たばこおよびその他製品は、それらを小売業者および消費者に配達する前に、長距離にわたって輸送される必要がある、またはかなりの長時間、例えば
熟成工程の一部として貯蔵しなければならない。この間、これらの製品は、様々な害虫により寄生される傾向がある。例えば、毎年、４億ＵＳドルのたばこが、害虫の寄生により失われている。貯蔵されたココアおよびコーヒーのそれぞれ４％および５％にあたる５億ＵＳドル以上もまた、１年ごとに害虫により失われている。
【０００３】
従って、輸送および貯蔵中の害虫に対する食物およびその他製品の損失を最小限にすることは、継続的な挑戦である。
【０００４】
現在では、主に燻蒸、加熱および凍結処理が貯蔵所における害虫を制御するために使用される。しかしながら、すべての燻蒸は貯蔵施設または貯蔵所の一部の密閉を必要とする。加えて、大部分の燻蒸はヒトに対して高い毒性である。したがって、正しく処理されなかった場合、それらは、従事する作業者にとって潜在的な健康被害を提示する。加えて、貯蔵製品における燻蒸剤の残余を避けなければならない。
【０００５】
それ故、現在実施されている方法の代わりとなる方法が、非常に望まれている。
【０００６】
国際公開第２００７／１４４４０１号は、たばこを有害生物に対して保護活性を有するネットで覆うことにより、貯蔵中に有害生物からたばこを保護する方法を記載している。
【０００７】
国際公開第２００８／０５２９１３号は、１以上の植物を安定化構造およびメッシュ生地を含む装置で覆う工程を含む有害生物から作物を保護する方法であって、該メッシュ生地は、農薬を染み込ませてあり、光、空気および水を通すことができる、前記方法を記載している。
【先行技術文献】
【特許文献】
【０００８】
【特許文献１】国際公開第２００７／１４４４０１号
【特許文献２】国際公開第２００８／０５２９１３号
【発明の概要】
【発明が解決しようとする課題】
【０００９】
しかしながら、これらの文献のいずれもが、現代の世界的な輸送および物流の貯蔵所における貨物を保護するという個別の要求に向けられていない。このような環境において実現可能となるためには、貨物を保護するためのシステムが様々な要求、例えば、
−作業者に対する健康被害および貯蔵貨物中の農薬残余の回避、
−システムを異なる種類の世界的な貯蔵所に適応するための柔軟性、
−貯蔵所床スペースの最小限の使用、
−腐食環境に耐える能力、
−取り付けおよび使用の容易性、
−物理的安定性、
−操作中の取り扱いの容易性および安全性、
を満たさなくてはならない。
【課題を解決するための手段】
【００１０】
上記要求は、農薬（より一般的には有害生物防除剤）で処理されたネットにより形成される１以上の貯蔵構造体を含み、貯蔵貨物を囲むことができる、貯蔵室における貯蔵貨物を保護するためのシステムにより満たされ得ることが判明した。
【００１１】
したがって、本発明の１つの側面は、農薬で処理されたネットにより形成される１以上の貯蔵構造体を含み、貯蔵貨物を囲むことができる、貯蔵室における貯蔵貨物を保護するためのシステムであって、貯蔵構造体が更に、支持枠、
支持枠を吊るすための手段、
吊るされた状態における少なくとも１の部分上の貯蔵構造体を開閉するための手段、
および、ネットが絡まった場合に全体の構造崩壊を避けるための手段
を含む、前記システムである。
【００１２】
本発明の更なる側面では、貯蔵室において本発明によるシステムを取り付ける工程および貨物を貯蔵構造体の内部に置く工程を含む、貯蔵室における貯蔵貨物を保護するための方法を提供する。
【００１３】
本発明のシステムは、様々な利点、例えば、
−作業者に対する健康被害および貯蔵貨物中の農薬残余の回避、
−システムを異なる種類の世界的な貯蔵所に適応するための柔軟性、
−貯蔵所床スペースの最小限の使用、
−腐食環境に耐える能力、
−取り付けおよび使用の容易性、
−物理的安定性、
−操作中の取り扱いの容易性および安全性、
を提供する。
【図面の簡単な説明】
【００１４】
【図１】図１ａは、本発明の支持枠の底面図を示す。図１ｂは、本発明の支持枠の上面図を示す。図１ｃは、支持枠の更なる実施形態を示す。
【図２】図２ａおよびｂは、支持枠の２つの枠部分を結合するための結合要素の２つの実施形態を示す。
【図３ａ】図３ａおよびｂは、押出形材部品の断面図を示す。
【図３ｂ】図３ａおよびｂは、押出形材部品の断面図を示す。
【図４】図４ａ、ｂおよびｃは、支持枠を吊るすための手段の３つの異なる実施形態を示す。
【図５】図５は、吊るされた状態における支持枠の実施形態を示す。
【図６】図６ａは、ネットが取り付けられた、吊るされた状態における支持枠により形成される貯蔵構造体を示す。図６ｂは、床上に溜まるネットを示す。
【図７ａ】図７ａは、貯蔵構造体の実施形態を示す。
【図７ｂ】図７ｂは、開放機構の好適な実施形態を示す。
【図７ｃ−ｄ】図７ｃおよびｄは、３次元ネットの２つの実施形態を示す。
【図８】図８ａおよびｂは、押出形材部品の更なる実施形態を示す。
【図９】図９は、支持枠の２つの押出形材部品を結合するために適応される結合要素の別の実施形態を示す。
【図１０】図１０は、支持枠上のネットの展開を示す。
【図１１】図１１は、支持枠の更なる実施形態を示す。
【図１２】図１２は、吊るされた状態における支持枠の別の実施形態を示す。
【図１３】図１３は、床に固定するために適応される吊るす手段を含む貯蔵構造体の実施形態を示す。
【図１４】図１４は、横桁を含む支持枠の更なる実施形態を示す。
【図１５】図１５は、支持枠を吊るすための手段の更なる実施形態を示す。
【図１６】図１６は、いくつかの貯蔵構造体を有する貯蔵所の配置の概観図を示す。
【図１７】図１７ａおよびｂは、本発明の支持枠の強固な枠部分の２つの更なる実施形態を示す。
【発明を実施するための形態】
【００１５】
システムは、貯蔵構造体のサイズおよび数を変更することにより、小さな貯蔵室から工業規模の貯蔵所まで、どんなサイズの貯蔵室にも適応することができる。貯蔵室に依存して、システムは貯蔵貨物の側面および頂部または側面または頂部のいずれかを囲む。
【００１６】
害虫が保護される貯蔵構造体に入ることを可能としてはならない。しっかりとした密閉を達成するために、ネットは貯蔵構造体の基部に溜まる。隙間が基部に形成されないことを確実にするために、ネットは重り付きロープを含むことが好ましい。
【００１７】
システムの適応性は支持枠を備えることにより達成され、ここで、支持枠は１以上の部分を含み、支持枠の各部分は強固なまたは柔軟な要素、例えば強固な桁、ロープ、ケーブルおよび／または鎖のいずれかであり、各部分は案内ロープ、クランプ、溝、ボルト、ホックおよび／またはローラーを含む農薬で処理されたネットを固定するための手段を備え、支持枠は、枠の部分を結合するための結合要素および枠を支持枠を吊るすための手段に連結するための連結要素を更に含む。
【００１８】
支持枠は貯蔵貨物を保護するために必要などんな形にも適応することができ、強固な桁または強靭なケーブルを使用して長距離を容易につなぐことができる。強固な枠は丸い形状の使用を可能とし、ネットの不必要な動きに対する安定性をシステムに与える。柔軟な枠はより軽く、利用可能なスペースがほとんどない状況や、より重い強固な枠の重さを支持することができない場合において、システムの取り付けを可能にする。
【００１９】
長距離をつなぐために、２以上の支持枠をそれらの強度を上げるように積み重ねることができる。
【００２０】
本発明の好適な実施形態では、支持枠は強固な桁製であって、強固な桁は押出形材部品である。アルミニウム製の押出形材部品が特に好ましい。
【００２１】
この好適な実施形態では、枠の異なる部分を結合するための結合要素および支持枠を吊るす手段に連結するための連結要素は、押出部品中の溝、ナットおよびボルトを含む。
【００２２】
枠の部分はまた、支持枠の選択された形状が、異なる貯蔵状況への変更または適応を意図しない場合、互いに溶接され得る。
【００２３】
システムの支持枠は、
Ａ）吊るす手段を貯蔵室の天井および／または支持構造に取り付けるための固定要素並びに支持枠を固定要素に連結するための連結要素を含む吊るす手段を使用して支持枠を貯蔵室の天井に固定する工程であって、固定要素はクランプ、ブラケットおよび／またはボルトを含む、前記工程、
または、
Ｂ）吊るす手段を壁に取り付けるための固定要素および支持枠を固定要素に連結するための連結要素を含む吊るす手段を使用して支持枠を貯蔵室の少なくとも２の壁上に固定する工程であって、固定要素はクランプ、ブラケットおよび／またはボルトを含む、前記工程、
または、
Ｃ）支持枠を貯蔵室の床上に置かれているおよび／または固定されている台上に固定する工程であって、台が強固な桁および支持枠を支えるための連結要素を含む、前記工程
のいずれかにより固定され、
ここで、連結要素は強固な桁、ロープ、ケーブル、鎖および／または滑車を含み、ロープ、ケーブルおよび／または鎖は引張要素を備え、連結要素は固定要素を使用して支持枠に固定される。
【００２４】
システムの最初の取り付けでは、支持枠が地上にある間または支持枠が吊るされた後に、農薬で処理されたネットを支持枠に固定することができる。システムの最初の取り付け後は、貯蔵貨物を貯蔵構造体から移動する必要がないように、支持枠が吊るされた状態のままでネットを交換することが好ましい。
【００２５】
好適な固定要素は熟練者により知られており、例えばボルト、ねじ、ナット、クランプおよびブラケットを含む。
【００２６】
吊るす手段が貯蔵室の天井に固定される場合、吊るす手段を建造物の支持構造に固定することが好ましい。クランプは円型またはＩ字型の桁の場合の吊るす手段を取り付けるための固定手段として好ましく、また、ボルトはコンクリート構造の場合の好適な固定手段である。
【００２７】
支持枠を床上に組み立てることが望ましい場合では、連結要素が滑車を含み、支持枠の高さを調節することができるように準備された吊るす手段が好ましい。
【００２８】
支持枠が台により吊るされている場合、蝶番を含む台の使用が好ましい。台上の蝶番は支持枠を支えるための連結要素を有する桁を折りたたむことができるように準備される。折りたたまれた状態では、台を取り付け場所に容易に移動することができる。さらに、折りたたみ機構は、ロープ／ケーブル／鎖および／または滑車と組み合わせれば、持ち上げ機構として機能することができる。これは、支持枠を貯蔵所の床上に組み立てることを可能とする。
【００２９】
さらなる実施形態では、台は台を移動するための手段を含む。これらの手段は、例えば車輪およびブレーキを含み、台の容易な移動および安全な配置を可能とする。
【００３０】
本発明の別の実施形態では、台は可膨張性要素を含む。これは、台の重量を減少し、圧縮空気を使用して台を膨張させることにより迅速な取り付けを可能とする。
【００３１】
好適な実施形態では、台は貯蔵所の基部に台を固定するための固定手段を含む。この実施形態は、台の高さが貯蔵構造体の幅および／または長さよりも長いまたはほぼ同じくらいである場合に特に好ましい。固定手段はクランプ、ブラケット、ねじおよび／またはボルトを含む。支持台、支持枠およびネットの合計重量が貯蔵所基部の最大許容荷重よりも大きい場合は、別の基部を支持台に使用することが好ましい。
【００３２】
支持枠が支持枠の吊るす手段への連結において長距離でつながなければならない場合、強度を改善するために、横桁および／または追加のケーブル／ロープ／鎖を構造体に組み入れることができる。横桁はまた、貯蔵構造体の不必要な動きを制限して構造体の剛性をあげるために使用することができる。同じことが吊るす手段に適用される。吊るす手段の強度および剛性は横桁および／またはケーブル／ロープ／鎖の組み込みにより改善することができる。
【００３３】
吊るす手段における追加の横桁および／またはケーブル／ロープ／鎖の組み込みは、貯蔵所の構造が特定の場所でのみ吊るす手段の固定を可能とする場合に特に好ましい。
【００３４】
追加の横桁および／またはケーブル／ロープ／鎖はまた、ネットによる歪みを受け入れるために支持枠に含まれ得る。
【００３５】
本発明の１つの重要な側面は、貯蔵所の日々の仕事におけるシステムの使用の容易性である。システムは、保護される貨物の簡単な配置および移動を可能としなければならない。これは、ネットを持ち上げるまたはネットをわきに寄せることにより開けることができる少なくとも１の部分を貯蔵構造体に備えることにより達成される。
【００３６】
支持枠は、ネットの少なくとも１の部分を手動で開閉するための手段を備えることができる。これらの手段は、ケーブル／ロープ／鎖および滑車を含む。貯蔵構造体の手動操作は、フォークリフトの運転手がネットを操作するために降りなければならなくなるので、大きな工業規模の貯蔵所の日々の操作を妨害し得る。
【００３７】
貯蔵所の日々の仕事を妨害しないためには、ネットの少なくとも１の部分は迅速に、好適には１分未満で自動化機構により開閉することができることが好ましい。これは、モーターおよびモーターを制御するための手段を支持枠に備えることにより達成される。
【００３８】
本発明の１つの実施形態では、支持枠の少なくとも１の部分は支持枠からネットの底部に伸びるロープを備えており、これらのロープはモーターにより引っ張ることができるように準備される。その後、ネットは、モーターを動かすことにより昇降することができる。
【００３９】
本発明の別の実施形態では、ロープは支持枠から吊るされ、ネットを保持するストラップを形成する。その後、ネットは、ロープの一方の端を引っ張り、ストラップのサイズを小さくすることにより持ち上げることができる。
【００４０】
本発明の好適な実施形態では、持ち上げられるネットは、桁集合体(pooling beam)をさらに含む。これは、ネットがその部分の全体の長さにわたり均一に持ち上げられることを可能とし、ネットの望まれない動きを減少する。
【００４１】
単一の３次元ネットが貯蔵構造体を形成するために使用される場合、ネットの仕立ての様式(sewing pattern)は、貯蔵構造体を開けるための手段により開けられる面と２つの隣接する側面との間の継目のところまたはその近くに追加のネット材料を含むことが好ましい。これは、ネットがおよそ長方形のはっきりとした開口部分を形成することを可能にする。
【００４２】
本発明の別の実施形態では、支持枠の少なくとも１の部分上のネットはローラーを使用して取り付けられ、これらのローラーはモーターにより動かしてネットを引くことができるようになっている。
【００４３】
フォークリフトの運転手は、ネットを操作するために降りる必要がないことが好ましい。これは、有線式遠隔操作、無線周波数（ＲＦ）もしくは赤外線（ＩＲ）無線式遠隔操作または運動センサの形態のモーターを制御するための手段を備えることにより達成される。
【００４４】
有線式遠隔操作は、フォークリフトの運転手がフォークリフトの内部から遠隔操作をすることができるように、天井から吊るすまたは台に設置することにより準備することができる。無線式遠隔操作は、フォークリフトの内部を含めて、貯蔵構造体の近くのどんな場所からでも操作することができる。無線式遠隔操作の場合では、各使用するフォークリフトまたは各作業者にこれらの遠隔操作を装備させることが好ましい。
【００４５】
貯蔵貨物の保護のためのシステムが１よりも多い貯蔵構造体を含む場合、固有のコードを各貯蔵構造体に割り当てることが好ましい。その後、操作員は、無線式遠隔操作を使用して対応するコードを送ることにより、開閉する貯蔵構造体を選択することができる。
【００４６】
本発明のさらなる実施形態では、各貯蔵構造体は、遠隔操作により送られた検出信号のためのＩＲ検出器を備えており、各貯蔵構造体のＩＲ検出器は、ＩＲ無線遠隔操作を貯蔵構造体の方向に向けることにより開けるべき貯蔵構造体が選択されるようになっている。これは、異なるコードを思い出すまたは記録する必要性をなくし、したがって、開けるべきネットの簡単で直観的な選択を可能にする。
【００４７】
さらに、使用するのに簡単で安全であるシステムを提供することが本発明の重要な側面である。日々の貯蔵所の仕事では、フォークリフトが使用される。これらの装置は強い力を有し、吊るされたネットに対して潜在的な脅威を提示する。フォークリフトはネットの溜まっている部分上を走る可能性があり、またはネットがフォークリフトのフォークに絡まることもあり得る。両方の場合に、強い力がネットおよびネットを吊るす構造体にかかる。これらの力は、ネットを引き裂き、使用することができない状態にし得る。この力が支持枠または吊るす手段の最大荷重許容量を超える場合、この力が貯蔵構造体の完全な崩壊を引き起こすことさえあり得る。
【００４８】
それ故、全体の構造崩壊を避けるための手段を備えることが本発明の重要な側面である。これらの手段は、ネットを引っ張る力が一定の最大荷重を超えたときに固定器具が解放されるように、ネットを支持枠に固定するために使用される。これらの手段は、破壊点を備える、１以上の面ファスナー(Velcro strips)、圧縮クランプストリップ、保持用クランプ、ボルトまたはホックであり得る。
【００４９】
本発明の１つの重要な側面は、害虫レベルを制御するために必要な農薬の量をへらすこと、特に貯蔵所の燻蒸を避けることである。これは、昆虫および害虫がシステム内部の保護される貯蔵空間に入ることを効率的に妨げることにより達成される。したがって、貯蔵所および貯蔵貨物に最初に害虫がいないことは非常に重要である。
【００５０】
必要な最初の害虫レベルを達成するために、貯蔵所の燻蒸はまだ必要であり得る。それ故、システムの構造体に使用される材料を腐食性の環境に耐え得るように選択し、したがって適切な位置にシステムを有する貯蔵所の燻蒸が可能であることが好ましい。
【００５１】
さらに、システムの有効性を評価するために貯蔵所中および貯蔵構造体の内部の害虫レベルを監視することが重要である。
【００５２】
したがって、システムの好適な実施形態では、システムは、害虫の感染を監視するための手段を更に含む。好適な実施形態では、これらの手段は、貯蔵貨物の近くの保護される領域および／または貯蔵構造体の外に配置されたフェロモントラップを含む。
【００５３】
本発明の更なる側面では、支持枠を取り付け場所で組み立てる工程、支持枠を吊るすための手段を取り付け場所で取り付ける工程、および支持枠を吊るすための手段に支持枠を連結する工程、支持枠を持ち上げる工程並びにネットを支持枠に固定する工程を含む、貯蔵室における貯蔵貨物を保護するためのシステムを取り付けるための方法を提供する。
【００５４】
本発明の１つの実施形態では、支持枠に必要な部分および／または支持枠を吊るすための手段は、キット形式で運ばれ、取り付け場所で組み立てられる。キットは貯蔵および輸送中の必要な空間を減らし、容易に運ぶことができる。取り付けの場所では、わずかなスペースしか必要としない。支持枠は貯蔵貨物の周りで組み立てることができる。支持枠を吊るすための手段は、はしごまたはリフトを使用して天井および／または壁に固定することができる、または支持台を地上で組み立てることができる。支持枠を吊るすための手段に固定した後、支持枠および取り付けたネットを目的の高さに持ち上げる。
【００５５】
本発明の１つの実施形態では、枠を床上に置いている間にネットを支持枠に取り付け、ネットを交換する必要がある場合に、支持枠を再び床に降ろすことができる。
【００５６】
本発明の好適な実施形態では、支持枠が吊るされている状態で、ネットを支持枠に固定する。ネットの交換が必要な場合は、支持枠を吊るした状態のままで交換することが好ましい。ネットは処理されたネットの効力が落ちた、またはネットが損傷した場合に交換すべきである。
【００５７】
支持枠が吊るされた状態でネットを支持枠に固定するときは、ネットを移動することが可能な手段を使用してネットを枠に最初に取り付けることが好ましい。好適な手段は、ローラー、ホックおよび／またはストラップを含む。ネットが支持枠から完全に吊るされ、正しい位置に移動した後は、ネットはネットをしっかりと張ることが可能な手段を使用して支持枠に取り付けられる。ネットを支持枠にしっかりと張った状態で取り付けるための好適な手段は、圧縮クランプストリップ、面ファスナー(Velcro strips)および／または保持用クランプを含む。
【００５８】
本発明の別の実施形態では、支持枠および／または支持枠を吊るすための手段は工場内で部分的にまたは完全に前もって組み立てられる。
【００５９】
本発明の更なる側面では、貯蔵室において本発明によるシステムを取り付ける工程および貨物を貯蔵構造体の内部に置く工程を含む、貯蔵室における貯蔵貨物を保護するための方法を提供する。
【００６０】
本発明の好適な実施形態では、支持枠の少なくとも１の部分上のネットは貯蔵構造体を開閉するための手段を備えており、貯蔵構造体は、貨物を貯蔵構造体の中にまたは貯蔵構造体から移動する／取り出す前に開けられ、その後閉められる。
【００６１】
貯蔵構造体は常に閉めたままであるべきであり、ネットは、貨物を貯蔵構造体の中に置く、または貨物を貯蔵構造体から取り出すために開けるのみにすべきである。したがって、本発明の好適な実施形態は、運動センサを更に含み、貯蔵構造体の開いた部分は運動センサが既定時間中に全く動きを検出しなかった場合に自動的に閉められる。
【００６２】
本発明の好適な実施形態では、貨物は、貨物を貯蔵構造体の内部に置く前に害虫に対して処理される。害虫に対する処理は燻蒸を含むことができる。
【００６３】
別の好適な実施形態では、貯蔵構造体および／または貯蔵所の内部の害虫レベルは、監視される。レベルは、害虫に対するシステムの有効性を評価することができるように経時的に追跡される。害虫レベルが上昇する場合および／またはネットが特定の既定の期間使用された後は、農薬で処理されたネットを交換すべきである。
【００６４】
本発明の１つの実施形態では、ネットの交換は支持枠を床に降ろす工程、使用したネットを取り外す工程、新しいネットを支持枠に取り付ける工程および支持枠を貯蔵構造体の目的とする高さに持ち上げる工程を含む。
【００６５】
本発明の好適な実施形態では、支持枠はネットの交換工程中、吊るされた状態のままである。
【００６６】
使用したネットは、廃棄のために製造業者に戻すことが好ましい。
【００６７】
本発明で使用されるネットは、１以上の農薬を染み込ませる。一般に、農薬は、材料中（例えば、プラスチックマトリックス中に）に組み込まれるもしくは材料の表面に適用されるまたはその両方である。
【００６８】
好適な実施形態では、材料は、
ａ）少なくとも１の農薬（成分Ａ）および
ｂ）少なくとも１の高分子結合剤（成分Ｂ）
を含む組成物で処理される。
【００６９】
このような組成物は、例えば国際公開第２００７／１４４４０１号に開示されている。
【００７０】
本明細書で使用される用語「農薬」は、殺虫剤、忌避剤および殺菌剤を含む。
【００７１】
本明細書で使用される用語「殺虫剤」は、文脈に述べられている場合を除き、殺節足動物（特に、殺昆虫、ダニ駆除(acaricidal)および殺ダニ(miticidal)）、軟体動物駆除(molluscicidal)および殺鼠活性を有する薬剤を含む。
【００７２】
本明細書で使用される用語「殺菌剤」は、文脈に述べられている場合を除き、殺真菌(fungicidal)、殺微生物(microbicidal)および殺ウイルス活性を有する薬剤を含む。
【００７３】
好適には、農薬は、殺虫剤、または忌避剤である。
【００７４】
農薬（成分Ａ）
好適には、農薬は、昆虫を迅速に麻痺または殺す効果を有し、低い哺乳類毒性である殺虫剤および／または忌避剤である。好適な殺虫剤および／または忌避剤は、当業者により知られている。好適な殺虫剤および忌避剤は、例えばＥ．Ｃ．  Ｔｏｍｌｉｎら、  Ｔｈｅ  Ｐｅｓｔｉｃｉｄｅ  Ｍａｎｕａｌ、  １３ｅｄ．、  Ｔｈｅ  Ｂｒｉｔｉｓｈ  Ｃｒｏｐ  Ｐｒｏｔｅｃｔｉｏｎ  Ｃｏｕｎｃｉｌ、  Ｆａｒｎｈａｍ  ２００３およびそこで引用されている文献に開示されている。
【００７５】
好適な殺虫剤および／または忌避剤を下記に記載する：
ピレスロイド化合物、例えば
エトフェンプロックス：  ２−（４−エトキシフェニル）−２−メチルプロピル−３−フェノキシベンジル  エーテル、
クロルフェナピル：  ４−ブロモ−２−（４−クロロフェニル）−１−エトキシメチル−５−（トリフルオロメチル）ピロール−３−カルボニトリル、
フェンバレレート：  （ＲＳ）−アルファ−シアノ−３−フェノキシベンジル  （ＲＳ）−２−（４−クロロフェニル）−３  メチルブチレート、
エスフェンバレレート：  （Ｓ）−アルファ−シアノ−３−フェノキシベンジル  （Ｓ）−２−（４−クロロフェニル）−３−メチルブチレート、
フェンプロパトリン：  （ＲＳ）−アルファ−シアノ−３−フェノキシベンジル  ２，２，３，３−テトラメチルシクロプロパンカルボキシレート、
シペルメトリン：  （ＲＳ）−アルファ−シアノ−３−フェノキシベンジル  （１ＲＳ）−ｃｉｓ，  ｔｒａｎｓ−３−（２，２−ジクロロビニル）−２，２−ジメチルシクロプロパンカルボキシレート、
アルファ−シペルメトリン：  （Ｓ）−α−（１Ｒ）および（Ｒ）−α−（１Ｓ）ジアステレオマーを含むラセミ体、
ペルメトリン：  ３−フェノキシベンジル（１ＲＳ）−ｃｉｓ，  ｔｒａｎｓ−３−（２，２−ジクロロビニル）−２，２−ジメチルシクロプロパンカルボキシレート、
シハロトリン：  （ＲＳ）−アルファ−シアノ−３−フェノキシベンジル  （Ｚ）−（１ＲＳ）−ｃｉｓ−３−（２−クロロ−３，３，３−トリフルオロプロぺ−１−エニル）−２，２−ジメチルシクロプロパンカルボキシレート、  ラムダ−シハロトリン、
デルタメトリン：  （Ｓ）−アルファ−シアノ−３−フェノキシベンジル  （１Ｒ）−ｃｉｓ−３−（２，２−ジブロモビニル）−２，２−ジメチルシクロプロパンカルボキシレート、
シクロプロトリン：  （ＲＳ）−アルファ−シアノ−３−フェノキシベンジル  （ＲＳ）−２，２−ジクロロ−１−（４−エトキシフェニル）シクロプロパンカルボキシレート、
フルバリネート：  アルファ−シアノ−３−フェノキシベンジル  Ｎ−（２−クロロ−アルファ，  アルファ，  アルファ，  アルファ−トリフルオロ−ｐ−トリル）−Ｄ−バリネート、
ビフェントリン：  （２−メチルビフェニル−３−イルメチル）０（Ｚ）−（１ＲＳ）−ｃｉｓ−３−（２−クロロ−３，３，３−トリフルオロ−１−プロぺニル）−２，２−ジメチルシクロプロパンカルボキシレート、
２−メチル−２−（４−ブロモジフルオロメトキシフェニル）プロピル  （３−フェノキシベンジル）エーテル、
トラロメトリン：  （Ｓ）−アルファ−シアノ−３−フェノキシベンジル  （１Ｒ−ｃｉｓ）３（（１’ＲＳ）（１’，  ２’，  ２’，  ２’−テトラ−ブロモエチル））−２，２−ジメチルシクロプロパンカルボキシレート、
シラフルオフェン：  ４−エトキシフェニル（３−（４−フルオロ−３−フェノキシフェニル）プロピル｝ジメチルシラン、
Ｄ−フェノトリン：  ３−フェノキシベンジル  （１Ｒ）−ｃｉｓ，  ｔｒａｎｓ）−クリサンテメート、
シフェノトリン：  （ＲＳ）−アルファ−シアノ−３−フェノキシベンジル  （１Ｒ−ｃｉｓ，  ｔｒａｎｓ）−クリサンテメート、
Ｄ−レスメトリン：  ５−ベンジル−３−フリルメチル  （１Ｒ−ｃｉｓ，  ｔｒａｎｓ）−クリサンテメート、
アクリナトリン：  （Ｓ）−アルファ−シアノ−３−フェノキシベンジル  （１Ｒ−ｃｉｓ（Ｚ））−（２，２−ジメチル−３−（オキソ−３−（１，１，１，３，３，３−ヘキサフルオロプロピルオキシ）プロぺニル（シクロプロパンカルボキシレート、
シフルトリン：  （ＲＳ）−アルファ−シアノ−４−フルオロ−３−フェノキシベンジル  ３−（２，２−ジクロロビニル）−２，２−ジメチルシクロプロパンカルボキシレート、
テフルトリン：  ２，３，５，６−テトラフルオロ−４−メチルベンジル  （１ＲＳ−ｃｉｓ  （Ｚ））−３−（２−クロロ−３，３，３−トリフルオロ−プロぺ−１−エニル）−２，２−ジメチルシクロプロパンカルボキシレート、
トランスフルトリン：  ２，３，５，６−テトラフルオロベンジル  （１Ｒ−ｔｒａｎｓ）−３−（２，２−ジクロロビニル）−２，２−ジメチル−シクロプロパンカルボキシレート、
テトラメトリン：  ３，４，５，６−テトラヒドロフタルイミドメチル  （１ＲＳ）−ｃｉｓ，  ｔｒａｎｓ−クリサンテメート、
アレトリン：  （ＲＳ）−３−アリル−２−メチル−４−オキソシクロペンテ−２−エニル  （１ＲＳ）−ｃｉｓ，  ｔｒａｎｓ−クリサンテメート、
プラレトリン：  （Ｓ）−２−メチル−４−オキソ−３−（２−プロピニル）シクロペンテ−２−エニル  （１Ｒ）−ｃｉｓ，  ｔｒａｎｓ−クリサンテメート、
エンペントリン：  （ＲＳ）−１−エチニル−２−メチル−２−ペンテニル  （１Ｒ）−ｃｉｓ，ｔｒａｎｓ−クリサンテメート、
イミプロトリン：  ２，５−ジオキソ−３−（プロピ−２−イニル）イミダゾリジン−１−イルメチル  （１Ｒ）−ｃｉｓ，  ｔｒａｎｓ−２，２−ジメチル−３−（２−メチル−１−プロペニル）−シクロプロパンカルボキシレート、
Ｄ−フラメトリン：  ５−（２−プロピニル）−フルフリル  （１Ｒ）−ｃｉｓ，  ｔｒａｎｓ−クリサンテメート、  および  ５−（２−プロピニル）フルフリル  ２，２，３，３−テトラメチルシクロプロパンカルボキシレート；
ピリプロキシフェン：  ４−フェノキシフェニル  （ＲＳ）−２−（２−ピリジルオキシ）プロピル  エーテル；
除虫菊（ｐｙｒｅｔｈｒｕｍ）；
ｄ−ｄ，  ｔｒａｎｓ−シフェノトリン：  （ＲＳ）−α−シアノ−３−フェノキシベンジル  （１ＲＳ，３ＲＳ；１ＲＳ，３ＳＲ）−２，２−ジメチル−３−（２−メチルプロペ−１−エニル）シクロプロパンカルボキシレート；
ラムダ−シハロトリン：
（Ｚ）−（１Ｒ，３Ｒ），Ｒ−エステル  および  （Ｚ）−（１Ｓ，３Ｓ），  Ｓ−エステルの１：１  混合物として、α−シアノ−３−フェノキシベンジル−３−（２−クロロ−３，３，３−トリフルオロプロペ−１−エニル）−２，２−ジメチルシクロプロパン  カルボキシレート、
カルバメート化合物、例えば、
アラニカルブ：  Ｓ−メチル−Ｎ［［Ｎ−メチル−Ｎ−［Ｎ−ベンジル−Ｎ（２−エトキシ−カルボニルエチル）アミノ−チオ］カルバモイル］チオアセトイミデート、
ベンジオカルブ：  ２，２−ジメチル−１，３−ベンゾジオキソール−４−イル−メチルカルバメート）、
カルバリル（１−ナフチル  Ｎ−メチルカルバメート、
イソプロカルブ：  ２−（１−メチルエチル）フェニル  メチルカルバメート、
カルボスルファン：  ２，３  ジヒドロ−２，２−ジメチル−７−ベンゾフラニル［（ジブチルアミノ）チオ］メチル−カルバメート、
フェノキシカルブ：  エチル［２−（４−フェノキシフェノキシ）エチル］カルバメート、
インドキサカルブ：  メチル−７−クロロ−２２，３，４°，５−テトラヒドロ−２−［メトキシカルボニル  （−４−トリフルオロメトキシフェニル）］
プロポキスル：  ２−イソプロピルオキシフェノール  メチルカルバメート、
ピリミカルブ：  ２−ジメチルアミノ−５，６−ジメチル−４−ピリミジニル−ジメチルカルバメート、
チオジオカルブ：  ジメチル  Ｎ，Ｎ’（チオビス（（メチルイミノ）カルボノイルオキシ）ビスエタンイミジオチオエート）、
メトミル：  Ｓ−メチル  Ｎ−（（メチルカルバモイル）オキシ）チオアセトアミデート、
エチオフェンカルブ：  ２−（（エチルチオ）メチル）フェニル  メチルカルバメート、
フェノチオカルブ：  Ｓ−（４−フェノキシブチル）−Ｎ，Ｎ−ジメチル  チオカルバメート、
カルタップ：  Ｓ，Ｓ’−（２−５  ジメチルアミノ）トリメチレン）ビス（チオカルバメート）ヒドロクロライド、
フェノブカルブ：  ２−ｓｅｃ−ブチルフェニルメチル  カルバメート、
ＸＭＣ：  ３，５−ジメチルフェニル−メチル  カルバメート、
キシリルカルブ：３，４−ジメチルフェニルメチルカルバメート；
有機リン化合物、例えば、
トリクロルホン：  リン酸、  （２，２，２−トリクロロ−１−ヒドロキシエチル）−，  ジメチル  エステル、
フェニトロチオン：  Ｏ，Ｏ−ジメチル  Ｏ−（４−ニトロ−ｍ−トリル）ホスホロチオエート、
ダイアジノン：  Ｏ，Ｏ−ジエチル−Ｏ−（２−イソプロピル−６−メチル−４−ピリミジニル）ホスホロチオエート、
ピリダフェンチオン：  Ｏ−（１，６−ジヒドロ−６−オキソ−１−フェニルピラジジン−３−イル）  Ｏ，Ｏ−ジエチル  ホスホロチオエート、
ピリミホス−エチル：  Ｏ，Ｏ−ジエチル  Ｏ−（２−（ジエチルアミノ）６−メチル−ピリミジニル）ホスホロチオエート、
ピリミホス−メチル：  Ｏ−［２−（ジエチルアミノ）−６−メチル−４  ピリミジニル］  Ｏ，Ｏ−ジメチル  ホスホロチオエート、
エトリムホス：  Ｏ−６−エトキシ−２−エチル−ピリミジン−４−イル−Ｏ，Ｏ−ジメチル−ホスホロチオエート、
フェンチオン：  Ｏ，Ｏ−ジメチル−Ｏ−［−３−メチル−４−（メチルチオ）フェニル  ホスホロチオエート、
ホキシム：  ２−（ジエトキシホスフィノトイルオキシイミノ）−２−フェニルアセトニトリル、
クロルピリホス：  Ｏ，Ｏ−ジエチル−Ｏ−（３，５，６−トリクロロ−２−ピリニル）ホスホロチオエート、
クロルピリホスメチル：  Ｏ，Ｏ−ジメチル  Ｏ−（３，５，６−トリクロロ−２−ピリジニル）ホスホロチオエート、
シアノホス：  Ｏ，Ｏ−ジメチル  Ｏ−（４  シアノフェニル）ホスホロチオエート、
ピラクロホス：  （Ｒ，Ｓ）［４−クロロフェニル）−ピラゾール−４−イル］−Ｏ−エチル−Ｓ−ｎ−プロピル  ホスホロチオエート、
アセフェート：  Ｏ，  Ｓ−ジメチル  アセチルホスホロアミドチオエート、
アザメチホス：  Ｓ−（６−クロロ−２，３−ジヒドロ−オキソ−１，３−オキサゾロ［４，５−ｂ］ピリジン−３−イルメチル  ホスホロチオエート、
マラチオン：  ジエチル  メルカプトスクシネートのＯ，Ｏ−ジメチル  ホスホロジチオエート  エステル、
テメホス：  （Ｏ，Ｏ’（チオジ−４−１−フェニレン）  Ｏ，Ｏ，Ｏ，Ｏ−テトラメチル  ホスホロジチオエート、
ジメトエート：  （（Ｏ，Ｏ−ジメチル  Ｓ−（ｎ−メチルカルバモイルエチル）ホスホロジチオエート、
ホルモチオン：  Ｓ［２−ホルミルメチルアミノ］−２−オキソエチル］−Ｏ，Ｏ−ジメチル  ホスホロジチオエート、
フェントエート：  Ｏ，Ｏ−ジメチル  Ｓ−（アルファ−エトキシカルボニルベンザル）−ホスホロジチオエート；
ヨードフェンホス：  Ｏ−（２，５−ジクロロ−４−ヨードフェニル）−Ｏ，Ｏ−ジメチル−ホスホロチオエート
成虫の蚊を防除する効果を有する殺虫剤、例えば、
１−（アルファ−（クロロ−アルファ−シクロプロピルベンジリデンアミノ−オキシ）−ｐ−トリル）−３−（２，６−ジフルオロベンゾイル）尿素、
ジフルベンズロン：  Ｎ−（（（３，５−ジクロロ−４−（１，１，２，２−テトラフロウロエトキシ）フェニルアミノ）カルボニル）２，６  ジフルオロ  ベンズアミド、
トリフルムロン：  ２−クロロ−Ｎ−（（（４−（トリフルオロメトキシ）フェニル）−アミノ−）カルボニル）ベンズアミド、  またはトリアジン、例えば、Ｎ−シクロプロピル−１，３，５−トリアジン−２，４，６−トリアミン。
【００７６】
忌避剤は、Ｎ，Ｎ−ジエチル−メタ−トルアミド（ＤＥＥＴ）、Ｎ，Ｎ−ジエチルフェニルアセトアミド（ＤＥＰＡ）、１−（３−シクロヘキサン−１−イル−カルボニル）−２−メチルピペリン、（２−ヒドロキシメチルシクロヘキシル）酢酸ラクトン、２−エチル−１，３−ヘキサンジオール、インダロン、メチルネオデカンアミド（ＭＮＤＡ）、昆虫制御のために使用されないピレスロイド、例えば、｛（＋／−）−３−アリル−２−メチル−４−オキソシクロペンテ−２−（＋）−エニル−（＋）−ｔｒａｎｓ−クリサンテメート（エスビオトリン）、リモネン、オイゲノール、（＋）−オイカマロル（１），（−）−１−エピ−オイカマロルのような植物抽出物またはユーカリプツスマクラータ（Ｅｕｃａｌｙｐｔｕｓ  ｍａｃｕｌａｔａ）、ハマゴウ（Ｖｉｔｅｘ  ｒｏｔｕｎｄｉｆｏｌｉａ）、シムボポガンマルチニ（Ｃｙｍｂｏｐｏｇａｎ  ｍａｒｔｉｎｉｉ）、シムボポガンシトラツス（Ｃｙｍｂｏｐｏｇａｎ  ｃｉｔｒａｔｕｓ）（レモングラス）、シモポガンナルトヅス（Ｃｙｍｏｐｏｇａｎ  ｎａｒｔｄｕｓ）（シトロネラソウ）のような植物からの粗植物抽出物またはそれに由来する忌避剤、ＩＲ３５３５（エチル  ブチルアセチルアミノプロピオネート）、イカリジン（１−ピペリジン−カルボン酸  ２−（２−ヒドロキシエチル）−１−メチルプロピルエステル）から選択されることが好ましい。
【００７７】
好適な殺菌剤は、例えば、
アゾール、例えば、ビテルタノール（Ｂｉｔｅｒｔａｎｏｌ）、ブロモコナゾール（Ｂｒｏｍｏｃｏｎａｚｏｌｅ）、シプロコナゾール（Ｃｙｐｒｏｃｏｎａｚｏｌｅ）、ジフェノコナゾール（Ｄｉｆｅｎｏｃｏｎａｚｏｌｅ）、ジニトロコナゾール（Ｄｉｎｉｔｒｏｃｏｎａｚｏｌｅ）、エポキシコナゾール（Ｅｐｏｘｉｃｏｎａｚｏｌｅ）、フェンブコナゾール（Ｆｅｎｂｕｃｏｎａｚｏｌｅ）、フルキコナゾール（Ｆｌｕｑｕｉｃｏｎａｚｏｌｅ）、フルシラゾール（Ｆｌｕｓｉｌａｚｏｌｅ）、フルトリアホール（Ｆｌｕｔｒｉａｆｏｌ）、ヘキサコナゾール（Ｈｅｘａｃｏｎａｚｏｌｅ）、イマザリル（Ｉｍａｚａｌｉｌ）、イプコナゾール（Ｉｐｃｏｎａｚｏｌｅ）、メトコナゾール（Ｍｅｔｃｏｎａｚｏｌｅ）、ミクロブタニル（Ｍｙｃｌｏｂｕｔａｎｉｌ）、ペンコナゾール（Ｐｅｎｃｏｎａｚｏｌｅ）、
プロピコナゾール（Ｐｒｏｐｉｃｏｎａｚｏｌｅ）、プロクロラズ（Ｐｒｏｃｈｌｏｒａｚ）、プロチオコナゾール（Ｐｒｏｔｈｉｏｃｏｎａｚｏｌｅ）、シメコナゾール（Ｓｉｍｅｃｏｎａｚｏｌｅ）、テブコナゾール  テトラ−コナゾール（Ｔｅｂｕｃｏｎａｚｏｌｅ  Ｔｅｔｒａ−ｃｏｎａｚｏｌ）、トリアジメホン（Ｔｒｉａｄｉｍｅｆｏｎ）、トリアジメノール（Ｔｒｉａｄｉｍｅｎｏｌ）、トリフルミゾール（Ｔｒｉｆｌｕｍｉｚｏｌ）、トリチコナゾール（Ｔｒｉｔｉｃｏｎａｚｏｌ）；
ストロビルリン（Ｓｔｒｏｂｉｌｕｒｉｎｅｓ）、例えば、アゾキシストロビン（Ａｚｏｘｙｓｔｒｏｂｉｎ）、ジモキシストロビン（Ｄｉｍｏｘｙｓｔｒｏｂｉｎ）、フルオキサストロビン（Ｆｌｕｏｘａｓｔｒｏｂｉｎ）、クレソキシム−メチル（Ｋｒｅｓｏｘｉｍ−ｍｅｔｈｙｌ）、メトミノストロビン（Ｍｅｔｏｍｉｎｏｓｔｒｏｂｉｎ）、オリサストロビン（Ｏｒｙｓａｓｔｒｏｂｉｎ）、ピコキシストロビン（Ｐｉｃｏｘｙｓｔｒｏｂｉｎ）、ピラクロストロビン（Ｐｙｒａｃｌｏｓｔｒｏｂｉｎ）およびトリフロキシストロビン（Ｔｒｉｆｌｏｘｙｓｔｒｏｂｉｎ）；
アシルアラニン（Ａｃｙｌａｌａｎｉｎｅｓ）、例えば、ベナラキシル（Ｂｅｎａｌａｘｙｌ）、メタラキシル（Ｍｅｔａｌａｘｙｌ）、メフェノキサム（Ｍｅｆｅｎｏｘａｍ）、オフレース（Ｏｆｕｒａｃｅ）、オキサジキシル（Ｏｘａｄｉｘｙｌ）；
アミン誘導体、例えば、アルジモルフ（Ａｌｄｉｍｏｒｐｈ）、ドジン（Ｄｏｄｉｎｅ）、ドデモルフ（Ｄｏｄｅｍｏｒｐｈ）、フェンプロピモルフ（Ｆｅｎｐｒｏｐｉｍｏｒｐｈ）、フェンプロピジン（Ｆｅｎｐｒｏｐｉｄｉｎ）、グアザチン（Ｇｕａｚａｔｉｎｅ）、イミノクタジン（Ｉｍｉｎｏｃｔａｄｉｎｅ）、スピロキサミン（Ｓｐｉｒｏｘａｍｉｎ）、トリデモルフ（Ｔｒｉｄｅｍｏｒｐｈ）；
アニリノピリミジン、例えば、ピリメタニル（Ｐｙｒｉｍｅｔｈａｎｉｌ）、メパニピリム（Ｍｅｐａｎｉｐｙｒｉｍ）、シプロジニル（Ｃｙｐｒｏｄｉｎｉｌ）；
ジカルボキシイミド、例えば、イプロジオン（Ｉｐｒｏｄｉｏｎ）、ミクロゾリン（Ｍｙｃｌｏｚｏｌｉｎ）、プロシミドン（Ｐｒｏｃｙｍｉｄｏｎ）、ビンクロゾリン（Ｖｉｎｃｌｏｚｏｌｉｎ）；
桂皮酸アミドおよび誘導体、例えば、ジメトモルフ（Ｄｉｍｅｔｈｏｍｏｒｐｈ）、フルメトバー（Ｆｌｕｍｅｔｏｖｅｒ）、フルモルフ（Ｆｌｕｍｏｒｐｈ）；
シクロヘキシミド（Ｃｙｃｌｏｈｅｘｉｍｉｄｅ）、グリセオフルビン（Ｇｒｉｓｅｏｆｕｌｖｉｎ）、カスガマイシン（Ｋａｓｕｇａｍｙｃｉｎ）、ナタマイシン（Ｎａｔａｍｙｃｉｎ）、ポリオキシン（Ｐｏｌｙｏｘｉｎ）、ストレプトマイシン（Ｓｔｒｅｐｔｏｍｙｃｉｎｅ）のような抗生物質；
ジチオカルバメート、例えば、フェルバム（Ｆｅｒｂａｍ）、ナバム（Ｎａｂａｍ）、マネブ（Ｍａｎｅｂ）、マンコゼブ（Ｍａｎｃｏｚｅｂ）、メタム（Ｍｅｔａｍ）、メチラム（Ｍｅｔｉｒａｍ）、プロピネブ（Ｐｒｏｐｉｎｅｂ）、ポリカルバメート（Ｐｏｌｙｃａｒｂａｍａｔ），チラム（Ｔｈｉｒａｍ）、ジラム（Ｚｉｒａｍ）、ジネブ（Ｚｉｎｅｂ）；
複素環式化合物、例えば、アニラジン（Ａｎｉｌａｚｉｎ）、ベノミル（Ｂｅｎｏｍｙｌ）、ボスカリド（Ｂｏｓｃａｌｉｄ）、カルベンダジム（Ｃａｒｂｅｎｄａｚｉｍ）、カルボキシン（Ｃａｒｂｏｘｉｎ）、オキシカルボキシン（Ｏｘｙｃａｒｂｏｘｉｎ）、シアゾファミド（Ｃｙａｚｏｆａｍｉｄ）、ダゾメット（Ｄａｚｏｍｅｔ）、ジチアノン（Ｄｉｔｈｉａｎｏｎ）、ファモキサドン（Ｆａｍｏｘａｄｏｎ）、フェナミドン（Ｆｅｎａｍｉｄｏｎ）、フェナリモル（Ｆｅｎａｒｉｍｏｌ）、フベリダゾール（Ｆｕｂｅｒｉｄａｚｏｌ）、フルトラニル（Ｆｌｕｔｏｌａｎｉｌ）、フラメトピル（Ｆｕｒａｍｅｔｐｙｒ）、イソプロチオラン（Ｉｓｏｐｒｏｔｈｉｏｌａｎ）、メプロニル（Ｍｅｐｒｏｎｉｌ）、ヌアリモル（Ｎｕａｒｉｍｏｌ）、ピコベンズアミド（Ｐｉｃｏｂｅｎｚａｍｉｄ）、プロベナゾール（Ｐｒｏｂｅｎａｚｏｌ）、プロキナジド（Ｐｒｏｑｕｉｎａｚｉｄ）、ピリフェノックス（Ｐｙｒｉｆｅｎｏｘ）、ピロキロン（Ｐｙｒｏｑｕｉｌｏｎ）、キノキシフェン（Ｑｕｉｎｏｘｙｆｅｎ）、シルチオファム（Ｓｉｌｔｈｉｏｆａｍ）、チアベンダゾール（Ｔｈｉａｂｅｎｄａｚｏｌ）、チフルザミド（Ｔｈｉｆｌｕｚａｍｉｄ）、チオファネート−メチル（Ｔｈｉｏｐｈａｎａｔ−ｍｅｔｈｙｌ）、チアジニル（Ｔｉａｄｉｎｉｌ）、トリシクラゾール（Ｔｒｉｃｙｃｌａｚｏｌ）、トリホリン（Ｔｒｉｆｏｒｉｎｅ）、Ｍ  アノルガニカ（Ｍ  Ａｎｏｒｇａｎｉｋａ）；
ニトロフェニル誘導体、例えば、ビナパクリル（Ｂｉｎａｐａｃｒｙｌ）、ジノカップ（Ｄｉｎｏｃａｐ）、ジノブトン（Ｄｉｎｏｂｕｔｏｎ）、ニトロフタル−イソプロピル（Ｎｉｔｒｏｐｈｔｈａｌ−ｉｓｏｐｒｏｐｙｌ）；
フェニルピロール、例えば、フェンピクロニル（Ｆｅｎｐｉｃｌｏｎｉｌ）、フルジオキソニル（Ｆｌｕｄｉｏｘｏｎｉｌ）；
スルフェン酸誘導体、例えば、キャプタホール（Ｃａｐｔａｆｏｌ）、キャプタン（Ｃａｐｔａｎ）、ジクロフルアニド（Ｄｉｃｈｌｏｆｌｕａｎｉｄ）、ホルペット（Ｆｏｌｐｅｔ）、トリルフルアニド（Ｔｏｌｙｌｆｌｕａｎｉｄ）；
その他殺菌剤、例えば、アシベンゾラール−Ｓ−メチル（Ａｃｉｂｅｎｚｏｌａｒ−Ｓ−ｍｅｔｈｙｌ）、ベンチアバリカルブ（Ｂｅｎｔｈｉａｖａｌｉｃａｒｂ）、カルプロパミド（Ｃａｒｐｒｏｐａｍｉｄ）、クロロタロニル（Ｃｈｌｏｒｏｔｈａｌｏｎｉｌ）、シフルフェナミド（Ｃｙｆｌｕｆｅｎａｍｉｄ）、シモキサニル（Ｃｙｍｏｘａｎｉｌ）、ダゾメット（Ｄａｚｏｍｅｔ）、ジクロメジン（Ｄｉｃｌｏｍｅｚｉｎ）、ジクロシメット（Ｄｉｃｌｏｃｙｍｅｔ）、ジクロフルアニド（Ｄｉｃｌｏｆｌｕａｎｉｄ）、ジエトフェンカルブ（Ｄｉｅｔｈｏｆｅｎｃａｒｂ）、エジフェンホス（Ｅｄｉｆｅｎｐｈｏｓ）、エタボキサム（Ｅｔｈａｂｏｘａｍ）、フェンヘキサミド（Ｆｅｎｈｅｘａｍｉｄ）、フェンチン−アセテート（Ｆｅｎｔｉｎ−Ａｃｅｔａｔ）、フェノキサニル（Ｆｅｎｏｘａｎｉｌ）、フェリムゾン（Ｆｅｒｉｍｚｏｎｅ）、フルアジナム（Ｆｌｕａｚｉｎａｍ）、ホゼチル（Ｆｏｓｅｔｙｌ）、ホゼチル−アルミニウム（Ｆｏｓｅｔｙｌ−Ａｌｕｍｉｎｉｕｍ）、リン酸（Ｐｈｏｓｐｈｏｒｉｃ  Ａｃｉｄ）、イプロバリカルブ（Ｉｐｒｏｖａｌｉｃａｒｂ）、ヘキサクロロベンゼン（Ｈｅｘａｃｈｌｏｒｂｅｎｚｅｎｅ）、メトラフェノン（Ｍｅｔｒａｆｅｎｏｎ）、ペンシクロン（Ｐｅｎｃｙｃｕｒｏｎ）、プロパモカルブ（Ｐｒｏｐａｍｏｃａｒｂ）、フタリド（Ｐｈｔｈａｌｉｄ）、トロクロホス−メチル（Ｔｏｌｏｃｌｏｆｏｓ−  ｍｅｔｈｙｌ）、キントゼン（Ｑｕｉｎｔｏｚｅｎｅ）、ゾキサミド（Ｚｏｘａｍｉｄ）。
【００７８】
本発明の農薬組成物の好適な殺虫剤および／または忌避剤は、１または混合物であり得る。農薬の好適な混合物は、同様の拡散／移動特性を有する殺虫剤および／または忌避剤の混合物である。この殺虫剤および／または忌避剤の群は、合成ピレスロイド、例えば、アルファシペルメトリン、シフルトリン、デルタメトリン、エトフェンプロックスおよびペルメトリン、他のピレスロイド、例えばビフェントリン、並びにピレスロイドではない、例えばクロルフェナピルを含み得る。
【００７９】
仕上げ
本発明による用語「仕上げ」は、殺虫剤混合物によるネットのあらゆる種類の処理を意味し、この処理を用いることで、ネットの表面または中に混合物の均一な分布が達成される。これに関連して、均一は、特定の殺虫剤の濃度が領域におけるいずれの点でも本質的に同じであることを意味する。
【００８０】
１つの実施形態では、仕上げは、ネットまたは、好適には、ネットを製造する単一繊維（モノフィラメント）もしくは多重繊維（マルチフィラメント）もしくは繊維（ファイバー）を、結合剤と一緒に殺虫剤混合物により塗布することにより実施される（変形Ａ）。
【００８１】
さらなる実施形態では、仕上げは、殺虫剤混合物をポリマーに混合し、ポリマーおよび殺虫剤混合物を共押出することにより実施され、単一繊維を得て、この繊維を加工処理して、本発明によるネットを得る（変形Ｂ）。
【００８２】
殺虫剤混合物を含む結合剤により塗布することによる仕上げ（変形Ａ）
結合剤の機能は殺虫剤混合物を、ネットを製造する単一繊維もしくは多重繊維もしくは繊維上、または完成したネット上に（「塗布工程の最後」）固定することである（以下、ネットに関して記載される）。これが達成された結果、活性化合物は浸出できなくなるか、または少なくとも非常にゆっくりとなる。
【００８３】
高分子結合剤は原則として、結合剤が殺虫剤混合物を特に繊維製品に固定することができることを条件として、どんな結合剤の形態をもとり得る。それ故に、好適な結合剤は、繊維製品の仕上げおよびその塗布の分野において既知のものである。もちろん、複数の異なる結合剤の混合物を使用することもできる。
【００８４】
実例は、（メタ）アクリレート、またはポリウレタン、ポリイソシアヌレートまたはワックス、例えばポリエチレンワックスを含むホモ−またはコポリマーを含む。
【００８５】
例えば、結合剤は、エチレン性不飽和モノマー、好適には（メタ）アクリレート、特に（メタ）アクリル酸のＣ１〜Ｃ１２エステル、架橋基を有する（メタ）アクリレート、（メタ）アクリル酸、マレイン酸もしくはマレイン酸エステル、アクリロニトリル、スチレン、ビニルアセテート、ビニルアルコール、エチレン、プロピレン、アリルアルコールまたはビニルクロライドからなる群より選択される少なくとも１のモノマーを重合することにより得ることができる結合剤であり得る。
【００８６】
本発明の好適な実施形態では、結合剤はモノマーとして５０〜９５重量％の少なくとも１の一般式Ｈ２Ｃ＝ＣＨＲ１−ＣＯＯＲ２（式中、Ｒ１はＨまたはメチルであり、Ｒ２は１〜１２の炭素原子、好適には２〜１０の炭素原子を有する脂肪族で直鎖状または分岐鎖状の炭化水素基である）の（メタ）アクリレート（Ａ）を含むエチレン性不飽和モノマーのコポリマーである。Ｒ１は好適にはＨである。好適な基Ｒ２の例は、特にメチル、エチル、ｎ-ブチルまたは２-エチルヘキシル基を含み、エチル、ｎ-ブチルまたは２-エチルヘキシル基が好ましい。さらに、コポリマーは１〜２０重量％の（メタ）アクリル酸または追加の官能基を有する（メタ）アクリル酸誘導体（Ｂ）を含む。これは特に（メタ）アクリル酸エステルおよび/または（メタ）アクリルアミドの形態をとり得る。官能基は結合剤をネットに結合するのに役立ち、更に架橋するために使用することができる。例えば、ω-ヒドロキシアルキル（メタ）アクリル酸エステル、エポキシ基を有する（メタ）アクリル酸エステル、例えばグリシジルエステルなど、（メタ）アクリルアミドまたはそれらの誘導体、例えば式Ｈ２Ｃ＝ＣＨ（ＣＨ３）−ＣＯ−ＮＨ−ＣＨ２−ＯＨの（メタ）アクリル酸メチロールアミドなどの形態をとり得る。同時に、ＡおよびＢとは異なり、エチレン性不飽和、好適にはモノエチレン性不飽和の追加のモノマー（Ｃ）、例えばアクリロニトリルまたはスチレンを用いることも可能である。一般に、追加のモノマーの量は０〜３０重量％である。特に好適には、７０〜９０重量％の式Ｈ２Ｃ＝ＣＨ２−ＣＯＯＲ２（式中、Ｒ２は４〜８のＣ原子を含み、ｎ-ブチルおよび/または２-エチルヘキシルが好ましい）のアクリル酸エステル、更に１０〜２０重量％のアクリロニトリル、１〜１０重量％の（メタ）アクリル酸または官能基を有する（メタ）アクリル酸誘導体、特に（メタ）アクリル酸メチロールアミドを含む結合剤である。
【００８７】
上記の好適な結合剤は、好適には当業者により知られる方法、好適には乳化重合により製造することができる。アクリレート結合剤が好ましく、特にコポリマーは、構成成分Ｂ1〜Ｂ４および場合によりＢ５の乳化重合により入手することができる。
【００８８】
構成成分Ｂ１としては、１またはそれ以上の、好適には１、２または３の、特に好適には１の式（Ｉ）の（メタ）アクリレートを使用する。
【化１】
0005980917.tif 000002
【００８９】
上の式の記号は次の意味を示す。
【００９０】
Ｒ１はＨまたはＣＨ３であり、Ｈが好ましく、
Ｒ２はＣ１−Ｃ１０−アルキルであり、メチル、エチル、ｎ−プロピル、ｉ−プロピル、ｎ−ブチル、ｉ−ブチル、ｓｅｃ−ブチル、ｔ−ブチル、ｎ−ペンチル、ｓｅｃ−ペンチル、ネオペンチル、１，２−ジメチルプロピル、ｉ−アミル、ｎ−ヘキシル、ｉ−ヘキシル、ｎ−ヘプチル、ｎ−オクチル、２−エチルヘキシル、ｎ−ノニルまたはｎ−デシルが好ましく、メチル、エチル、ｎ−ブチルまたは２−エチルヘキシルが特に好ましく、エチル、ｎ−ブチルまたは２−エチルヘキシルが極めて特に好ましい。
【００９１】
構成成分Ｂ１として、メチルアクリレート、エチルアクリレート、ｎ−ブチルアクリレート、２−エチルヘキシルアクリレートおよびメチルメタクリレートが好ましい。さらには、ブチルアクリレート単独またはメチルメタクリレートまたはエチルアクリレートとの混合物が好ましい。特にｎ−ブチルアクリレートが好ましい。
【００９２】
構成成分Ｂ２として用いる物質は、Ｎ−メチロールアクリルアミド、Ｎ−メチロールメタクリルアミド、Ｎ，Ｎ’−ビス−メチロールマレイン酸ジアミド、およびＮ，Ｎ’−ビスメチロールフマル酸ジアミドからなる群の少なくとも１のモノマーである。
【００９３】
Ｎ−メチロールアクリルアミドおよびＮ−メチロールメタクリルアミド、特にＮ−メチロールメタクリルアミドが好ましい。
【００９４】
構成成分Ｂ３として用いる物質は、１またはそれ以上のモノマーであり、アクリル酸、メタクリル酸、ビニルスルホン酸、マレイン酸、およびフマル酸からなる群より選択される１または２のモノマーが好ましい。アクリル酸およびメタクリル酸が好ましく、アクリル酸が特に好ましい。
【００９５】
構成成分Ｂ４として用いる物質は、１またはそれ以上のモノマーであり、群Ｂ４Ａおよび／またはＢ４Ｂから選択される１または２のモノマーが好ましい。
【００９６】
群Ｂ４Ａのモノマーは式（ＩＩ）および／または（ＩＩＩ）のモノマーで、並びに、例えば欧州特許出願公開第０３４６７３４号に記載された（メタ）アクリル酸修飾ベンゾフェノンである。
【化２】
0005980917.tif 000003
【００９７】
式中、記号は次の意味を示す。
【００９８】
Ｒ３はＨまたはＣＨ３であり、Ｈが好ましく、
ＸはＺ、−ＣＯ−ＮＨ−ＣＨ２−ＮＨ−ＣＯ−ＣＲ３＝ＣＨ２またはＣＯＯ−ＣＨ２−ＣＯ−ＣＨ２−ＣＯＯＲ４であり、Ｚが好ましく、
ＺはＣＯＮＨ２、ＣＯＮＨ−ＣＨ２−ＯＲ５、ＣＯＯ−Ｙ−ＯＨ、ＣＯＯ−グリシジル、ＣＨＯ、ＣＯ−Ｙ−ＯＨと等しく、ＣＯＮＨ２が好ましく、
ＹはＣ１−Ｃ８−アルキレンであり、Ｃ２−Ｃ６−アルキレンが好ましく、
Ｒ４、Ｒ５は同じであるかまたは異なり、直鎖状または分岐鎖状Ｃ１−Ｃ１０−アルキル基である。
【００９９】
群Ｂ４Ａのモノマーとしては、アセトアセチルアクリレート、アセトアセチルメタクリレート、アクリルアミド、メタクリルアミド、マレイン酸ジアミド、Ｎ−メトキシメチルアクリルアミド、Ｎ−ｎ−ブトキシメチルアクリルアミド、３−ヒドロキシプロピルアクリレート、３−ヒドロキシプロピルメタクリレート、４−ヒドロキシブチルアクリレート、４−ヒドロキシブチルメタクリレート、６−ヒドロキシヘキシルアクリレート、６−ヒドロキシヘキシルメタクリレート、２−ヒドロキシ−３−クロロプロピルアクリレート、３−ヒドロキシ−３−クロロプロピルメタクリレート、グリシジルアクリレートおよびグリシジルメタクリレートが好ましい。特にアクリルアミド、３−ヒドロキシプロピルメタクリレート、ブタンジオールモノアクリレートアセチルアセテート、グリシジルメタクリレート、および４−アクリルオキシベンゾフェノンが好ましい。
【０１００】
群Ｂ４Ｂからモノマーとして用いる物質は、アリルアクリレート、メタリルアクリレート、アリルメタクリレート、メタリルメタクリレート、ジアリルマレエート、ジメチルアリルマレエート、アリルフマレート、メタリルフマレート、ジアリルフタレート、ジメチルアリルフタレート、ジアリルテレフタレート、ジメタリルテレフタレート、ｐ−ジビニルベンゼン、ブタン−１，４−ジオールジアリルエーテルおよびブタン−１，４−ジオールジメチルアリルエーテルである。
【０１０１】
群Ｂ４のモノマーは、群Ｂ４Ａのモノマーが好ましく、この群からの１または２のモノマーの使用が好ましい。
【０１０２】
群Ｂ５のモノマーは、群Ｂ５Ａのモノマー、更には群Ｂ５Ｂのビニル芳香族モノマーが好ましい。
【０１０３】
構成成分Ｂ５Ａとしては、アクリロニトリルまたはメタクリロニトリルを用いることが好ましく、アクリロニトリルが好ましい。
【０１０４】
構成成分Ｂ５Ｂとしては、スチレンおよびα−メチルスチレンが好ましく、特にスチレンが好ましい。
【０１０５】
好適な実施形態では、アクリロニトリルを構成成分Ｂ５のモノマーとしてアクリレート結合剤の製造に用いる。
【０１０６】
アクリレート結合剤（Ｂ）は、下記ｂ１）〜ｂ５）の乳化重合により入手できる（重量％のデータはそれぞれの場合においてＢの全量に基づいている）。
【０１０７】
ｂ１）  ２０〜９３重量％、好適には５０〜９０重量％、特に好適には６０〜９０重量％、特には７５〜８５重量％の構成成分Ｂ１；
ｂ２）  １〜５重量％、好適には１．５〜３重量％の構成成分Ｂ２；
ｂ３）  ０．２〜５重量％、好適には０．５〜４重量％、特に好適には０．７５〜４重量％、特には１〜３重量％の構成成分Ｂ３；
ｂ４）  ０〜７重量％、好適には０〜５重量％、特に好適には０〜４．５重量％、特には０または０．２〜４．５重量％の構成成分Ｂ４および
ｂ５）  ０〜４０重量％、好適には５〜４０重量％、特に好適には５〜３０重量％、特には０または５〜２６重量％の構成成分Ｂ５。
【０１０８】
好適な方法は当業者により知られており、例えば国際公開第２００５／０６４０７２号（２０頁２０行目〜２３頁１５行目）に記載されている。
【０１０９】
得られる非架橋乳化ポリマーの重量平均分子量は一般に（ＧＰＣ（ゲル透過クロマトグラフィー）により決定して）４００００〜２５００００である。分子量は一般に連鎖停止剤、例えば有機硫黄化合物を通常の量使用することにより調節される。
【０１１０】
一般にアクリレート結合剤は水性分散液の形態で得ることが特に好ましく、普通は本発明による殺虫製剤の形態で使用する。
【０１１１】
好適なアクリレート結合剤は当業者に知られている通常の添加剤、例えば、塗膜形成剤および／または可塑剤、例えばアジペート、フタレート、ブチルジグリコール、ジカルボン酸と直鎖状または分岐鎖状アルコールを反応することにより得ることができるジエステルの混合物を更に含むことができる。好適なジカルボン酸およびアルコールは当業者により知られている。
【０１１２】
上記結合剤とは別に、好適な他のものは、シリコーンオイルおよびシリコーンワックス、ポリシロキサン、フッ化炭化水素基を有する樹脂、メラミン／ホルムアルデヒド縮合物、メチロールウレア誘導体並びに硬化性ポリエステルがあり、シリコーンオイルが好ましい。
【０１１３】
一般に好適なシリコーンオイルおよびシリコーンワックスは直鎖状または環状ポリオルガノシロキサンの形態をとり、ポリアルキル−および／またはポリフェニルシロキサンが好ましく、アルキルは例えばメチル、エチル、プロピルまたはオクチルがあり、メチルが好ましい。特に、ポリジメチルシロキサン、ポリ（メチルフェニルシロキサン）およびそれらのメチル基の一部をより長鎖のアルキル基に置換した対応する化合物が好ましい。分子量は１０００〜１５００００が好ましい。場合により、シリコーンオイルおよび特にシリコーンワックスは、粘度調整剤、例えばステアリン酸リチウムのような金属石鹸、高分散性シリカ、ＰＴＦＥ、窒化ホウ素またはウレアを含み得ることで、ペースト状または脂肪状の粘度を得る。
【０１１４】
本発明によるネット、特に網の製造には、結合剤は溶媒中での製剤の形態で使用しても良く、水性製剤として用いるのが好ましい。しかしながら、本発明には溶媒のない製剤の使用も含む。
【０１１５】
好適な実施形態では、使用される水性製剤は５５〜９９重量％の水、好適には８５〜９８重量％の水および１〜４５重量％、好適には２〜１５重量％の固形分を含む（与えられた重量％値はそれぞれの場合において製剤中の全構成成分の全量に基づく）。正確な濃度はまた、繊維基材の吸着性にも依存する。
【０１１６】
固形分は少なくとも１の結合剤、殺虫剤混合物、場合により少なくとも１の架橋剤および場合により追加の構成成分の形態をとる。
【０１１７】
少なくとも１の水分散性架橋剤を用いることが好ましい。特に、好適なアクリレート結合剤の場合は、これは遊離のイソシアネート基を有する架橋剤の形態をとる事が好ましい場合がある。これらは、遊離のイソシアネート基を有するイソシアヌレート、好適には４〜１２の炭素原子を有する脂肪族、脂環式または芳香族ジイソシアネート由来のイソシアヌレートの形態をとる事が好ましい場合がある。例には、１，６−ヘキサメチレンジイソシアネート、１，１２−ドデカンジイソシアネート、２，２’−および２，４’−ジシクロヘキシルメタンジイソシアネートまたは２，４−トリルジイソシアネートを含む。１，６−ヘキサメチレンジイソシアネートに基づくイソシアヌレートが好ましい。特にポリエチレンオキシド基のような追加の親水性基を有するイソシアヌレートが特に好ましい。このようなイソシアヌレートの製造は当業者により知られている。これらは例えばエチレンカーボネートまたはプロピレンカーボネートのような極性非プロトン性溶媒中の溶液として使用するのが好ましい。イソシアネート基を有する好適な架橋剤に関する更なる詳細は、国際公開第２００８／０５２９１３号の３４頁６行目〜３５頁３行目に記載されている。特に１，６−ヘキサメチレンジイソシアネート（ＨＭＤＩ）に基づく、追加のポリエチレンオキシド基を有するイソシアヌレートであって、プロピレンカーボネート中に溶解した該イソシアヌレート（プロピレンカーボネート中に７０重量％のＨＭＤＩ）を用いるのが好ましい。遊離のイソシアネート基は、溶液に基づき約１１〜１２重量％である。架橋剤は、製剤の全固形分量に基づき１〜１０重量％の量を用いることが好ましい。イソシアヌレートに基づく架橋剤は、特に上記コポリマーを架橋するのに適している。
【０１１８】
製剤は典型的な添加剤および助剤、ＵＶ安定剤並びに着色剤を更に含み得る。これらの添加剤の例は、国際公開第２００８／０５２９１３号の３５頁１７行目〜３７頁５行目に記載されている。
【０１１９】
架橋剤および増粘剤は、湿らす事が難しいために不均一になってしまう可能性がある、例えばポリオレフィン繊維のようなネットの処理溶液による均一塗布を可能にするために使用され得る。この目的のためには、水混和性溶媒を使用することもできるが、環境に悪影響を与えるために好ましくない。当業者は慣習的に使用される助剤およびその濃度について熟知している。
【０１２０】
製剤は、抗酸化剤、過酸化物捕捉剤、ＵＶ吸収剤および光安定剤を含むことが好ましい場合がある。これは、野外や温室中で増加するＵＶ照射にさらされるネットの場合に特に推奨される。上記添加剤は放射線による分解から基材となる繊維だけでなく、活性成分も保護する。
【０１２１】
好適なＵＶ吸収剤は、例えば国際公開第０２／４６５０３号または国際公開第２００７／０７７１０１号に記載されている。第一にＵＶ吸収剤は仕上げのために製剤中に成分として使用しても良く、第二に、それらは、例えばポリオレフィンおよびポリエステルの場合のように、繊維を製造する間のような早期に組み込んでも良い。また、異なる保護効果を有する複数の安定剤の混合物を使用することも有利な可能性がある。一般に、未処理のネットの重量に基づき、０．２〜５重量％、好適には０．２５〜４重量％、極めて特に好適には０．５〜３．５重量％の安定剤が使用される。製剤中の量は当業者により適宜調整される。
【０１２２】
殺虫剤混合物を単一繊維中に組み込むことによる変形Ｂによる仕上げ
本発明の更なる実施形態では、仕上げは、本発明による混合物を、例えば本発明によるネットを構成するまたはネットに含まれる繊維を得るために処理される単一繊維中に直接組み込むことにより実施される。この変形におけるネットは網が好ましい。
【０１２３】
本発明による混合物を組み込むことができる単一繊維にとって好適なポリマー材料は、熱可塑性ポリマーであり、オレフィン性不飽和モノマーに基づく熱可塑性ポリマー、例えば、ポリオレフィン、ポリビニルクロライド、ポリビニルアルコール、ポリ（メタ）アクリレート、他にも、ポリエステルおよびポリカーボネート、並びに場合により上記ポリマーの互いの、または熱可塑性エラストマーとの混合物が好ましい。特に、ポリエチレン、例えば低密度ポリエチレン（ＬＤＰＥ）、例えば直鎖状低密度ポリエチレン（ＬＬＤＰＥ）、超低密度ポリエチレン（ＵＬＤＰＥ）、中密度ポリエチレン（ＭＤＰＥ）および高密度ポリエチレン（ＨＤＰＥ）、エチレンと少なくとも３つの炭素原子を有するアルファ−オレフィンのコポリマーのようなポリエチレン樹脂、ポリプロピレンホモポリマー、プロピレンと４およびそれ以上の炭素原子を有するアルファ−オレフィンのランダムコポリマーおよびブロックコポリマー、エチレンと不飽和カルボン酸化合物とのコポリマー、例えば、ポリ（エチレン／メチルメタクリレート）、ポリ（エチレン／ビニルアセテート）またはポリ（エチレン／アクリル酸）、並びにこのようなポリマーとコポリマーの混合物が好ましい。熱可塑性エラストマーの例には、オレフィン−およびスチレンベースの熱可塑性エラストマーを含む。主な構成成分としてエチレンまたはプロピレンを有するコポリマーが好ましく、他にもポリスチレンおよびポリイソプレンおよび／またはポリブタジエンブロックを含むブロックコポリマー、並びにこのようなコポリマーの水素化誘導体がある。
【０１２４】
熱可塑性ポリマーマトリックス中に本発明による殺虫剤混合物を含む単一繊維の製造のために、殺虫剤混合物およびポリマーは、溶融混練により混合され得る。また、始めに、殺虫剤混合物およびポリマーの適量を溶融混練することによりマスターバッチを製造することも可能であり、その後マスターバッチを追加量のポリマーと溶融混練により目的の濃度に希釈する。マスターバッチ法を使用する場合は、マスターバッチおよびその後の希釈に異なるポリマーを使用することも可能であり、例えばマスターバッチにＬＬＤＰＥを、マスターバッチの希釈にＨＤＰＥを使用することも可能である。
【０１２５】
本発明によるポリマーおよび殺虫剤混合物の他に、ポリマー組成物は、場合により、好適には、タルク、カオリン、ローム、微細粉末状ＳｉＯ２、カーボンおよびデキストリンの群からの粉末状担体物質を含む。粉末状担体物質は、存在するのであれば、０．０１〜１０重量％が好ましい。粉末状担体物質は殺虫剤混合物およびポリマーと溶融混練により混合することができるが、始めに殺虫剤混合物および粉末状物質を混合し、その後この混合物とポリマーを、例えば溶融混練により混合することが好ましい。特に粉末状物質および殺虫剤混合物の混合物をマスターバッチを製造するのに用いることが好ましい。
【０１２６】
ポリマー、殺虫剤混合物および場合により粉末状担体の他に、ポリマー組成物は場合により顔料、抗酸化剤、潤滑剤などのような熱可塑性成形材料に対する通例の添加物を含む。
【０１２７】
本発明のこれらの実施形態によるフィラメントを製造するために、混合物を、例えばポリマー、殺虫剤混合物および、場合により追加の添加剤の溶融混練により、好適には高い温度で製造し、その混合物を押出し、押出物をペレット状になるように加工処理する。このようなペレットは押出法による溶融紡糸により、延伸することができ、本発明によるネットを例えばラッセル法により織ることのできるフィラメントが得られる。
【０１２８】
本発明のこの実施形態のためのネットの材料およびその製造の詳細は例えば国際公開第２００８／００４７１１号に記載されている。
【０１２９】
ネット（網）
好適なネットの例は繊維製品、非繊維プラスチック製品、紙、革、合成皮革、フィルムおよび他の、好適には柔軟性に富んだ製品である。
【０１３０】
使用するネットは繊維製品の形態をとることが好ましい。これらは天然繊維または合成繊維のネットの形態をとることができる。もちろん、これらはまた、２またはそれ以上の異なる繊維の混合物の形態をとることができる。天然繊維の例には、綿繊維、ジュート繊維または麻繊維を含む。これらは、好適なポリマー製の合成繊維の形態をとることが好ましい。例にはポリアミド、ポリエステル、ポリアクリロニトリルまたはポリオレフィンを含む。好適には、それらは、ポリアミド、ポリオレフィンおよびポリエステル、特に好適には、ポリオレフィン、特にはポリプロピレンまたはポリエチレン、およびポリエステルの形態をとる。極めて特に好適にはポリエステル繊維であり、特にポリエチレンテレフタレート（ＰＥＴ）である。
【０１３１】
繊維は単一繊維、オリゴ繊維または多重繊維の形態をとっても良く、滑らかであって、テキスチャード加工していても良い。
【０１３２】
ポリプロピレンおよびポリエチレンは、ポリプロピレンまたはポリエチレンホモポリマーの形態をとり得る。しかしながら、それらはまた、エチレンまたはプロピレンの他に、少量の他のコモノマーを含むコポリマーの形態をもとり得る。好適なコモノマーは、特に、他のオレフィン、例えば、エチレンまたはプロピレンおよびブテ−１−エン、ブテ−２−エン、イソブテン、ペンテ−１−エン、ヘキセ−１−エン、ヘプテ−１−エン、オクテ−１−エン、スチレンまたはα−メチルスチレン、ジエンおよび／またはポリエンの形態をとり得る。一般に、ポリエチレンまたはポリプロピレン中のコモノマーは、２０重量％以下であり、１０重量％以下が好ましい。コモノマーの種類および量は目的とする繊維特性に従い当業者により選択される。
【０１３３】
繊維製造にとって特に好適である製品は、比較的高分子量の粘性のある製品であり、それは、慣例的に（ＩＳＯ  １１３３に従い決定される）メルトフローインデックスにより評価される。それらは、０．１〜６０ｇ／１０分のメルトフローインデックスＭＦＲ（２３０℃、２．１６ｋｇ）を有する少なくとも１のポリプロピレンまたはポリエチレンの形態をとることが好ましい場合がある。それらは、１〜５０ｇ／１０分の、特に好適には１０〜４５ｇ／１０分の、例えば３０〜４０ｇ／１０分のメルトフローインデックスＭＦＲ（２３０℃、２．１６ｋｇ）を有するポリプロピレンの形態をとることが好ましい。ポリプロピレンのこのような種類は、繊維の製造に特に適している。もちろん、複数の異なる種類のポリプロピレンの混合物もまた使用され得る。
【０１３４】
ネットの種類により、繊維布には０．０５〜０．６ｍｍの太さがあり、０．１ｍｍ〜０．４ｍｍが好ましく、０．１２〜０．３５ｍｍが特に好ましく、０．２〜０．３ｍｍが極めて特に好ましい。
【０１３５】
ネットは、偶数個の角があるメッシュパターンを有することが好ましい。これに関連して、ネットはある１種類のメッシュのみ、例えば四角形のメッシュのみからなるか、もしくは六角形のメッシュのみからなるのが好ましい場合があり、または、それらはまた、２またはそれ以上の種類の異なるメッシュ、例えば八角形と四角形のメッシュの組み合わせを含み得る。
【０１３６】
これに関連して、ネットのメッシュは好適には実質上同じ種類であるべきであり、すなわち、ネットは実際にはメッシュの形状やサイズの点で小さな偏差を示し得るが、その値は平均値周辺において過度には変化しない。
【０１３７】
好適なメッシュサイズ（四角形のメッシュの一辺の長さ）は、上限の５ｍｍ、好適には２．５ｍｍ、特には１．５ｍｍから、下限の０．１ｍｍ、好適には０．２５ｍｍ、特に好適には０．５ｍｍ、特には０．７ｍｍまでの範囲である。
【０１３８】
ネットのメッシュは四角形、六角形または八角形のメッシュの群から選択することが好ましい。
【０１３９】
四角形のメッシュは、一辺がａとｂである平行四辺形の形状のメッシュの形態をとる。本来、用語「平行四辺形」はまた、用語「長方形」および「正方形」を含む。平行四辺形の二辺の間の小さい方の角度は一般に６０〜９０°である。９０°の境界においては、平行四辺形は長方形の形態をとる。ａ＝ｂであり９０°の境界においては、それは正方形の形態をとる。更に、平行四辺形は高さｈａを有する。長方形または正方形の場合には、高さｈａは辺ａの長さに相当する。正方形のメッシュが特に好ましい。
【０１４０】
六角形のメッシュの場合には、お互いにそれぞれ平行である３対の辺ａ、ｂおよびｃは、間隔ｈａ、ｈｂおよびｈｃで配置される。八角形のメッシュの場合には、お互いにそれぞれ平行である４対の辺ａ、ｂ、ｃおよびｄは、間隔ｈａ、ｈｂ、ｈｃおよびｈｄで配置される。当業者は連続したパターンが八角形で作ることが出来ないことを理解している。それ故に、八角形のメッシュを含むネットは少なくとも１つの第２の種類のメッシュを更に含む。これらは四角形のメッシュの形態をとり得る。
【０１４１】
本発明の特定の実施形態では、平行四辺形、六角形および八角形の高さｈａは、０．１〜０．９９ｍｍであり、０．１〜０．９ｍｍが好ましく、０．１２〜０．８ｍｍが特に好ましく、０．２５〜０．７ｍｍが極めて特に好ましい。
【０１４２】
平行四辺形では、長さと高さの比ｂ／ｈａは１：１〜５：１であり、１：１〜４：１が好ましく、２：１〜４：１が特に好ましい。それ故に、比ｂ／ｈａが１：１の場合、メッシュは０．１〜０．９９ｍｍの１辺の長さを有する正方形の形態をとり得る。より大きな比ｂ／ｈａの場合、それらは、一方向の軸に沿って伸長する構造体の形態をとる。０．９９ｍｍ以下である間隔ｈａにより、比較的小さい昆虫でさえも効果的にネットの通過を防ぎ、一方で長さは実際に０．９９ｍｍより大きくても良いので、ネットの通気性は過度に妨げられない。
【０１４３】
六角形の場合、比（（ｈｂ＋ｈｃ）／２）／ｈａは１：１〜５：１であり、１：１〜４：１が好ましく、２：１〜４：１が特に好ましい。ここで、この状況は平行四辺形の場合と類似する。１：１の比では、３つの等しい辺を有する正六角形となり、それぞれがお互いから０．９９ｍｍ以下の等しい間隔を有する。より大きな比（（ｈｂ＋ｈｃ）／２）／ｈａでは、一方向の軸に沿って伸長する六角形となる。昆虫および空気の通過に関する効果は平行四辺形の場合と同じである。
【０１４４】
八角形の場合、比（（ｈｂ＋ｈｃ＋ｈｄ）／３）／ｈａは１：１〜５：１であり、１：１〜４：１が好ましく、２：１〜４：１が特に好ましい。ここで、この比率は平行四辺形の場合と類似する。１：１の比では、４つの等しい辺を有する正八角形となり、それぞれがお互いから０．９９ｍｍ以下の等しい間隔を有する。より大きな比（（ｈｂ＋ｈｃ＋ｈｄ）／３）／ｈａでは、一方向の軸に沿って伸長する八角形となる。昆虫および空気の通過に関する効果は平行四辺形の場合と同じである。
【０１４５】
四角形および六角形のメッシュの他にも、本実施形態においては、例えば、四角形と八角形のメッシュの組み合わせを使用すること、または、ネットの一部のメッシュの形状およびサイズを変更することも可能である。例えば、ネットの縁をより高密度に編むこともでき、または、異なるポリマーから製造したより太い繊維をネットを安定化するためにある間隔で編み込んでも良い。
【０１４６】
用語「高さ」および「長さ」は、繊維、または塗布された繊維を考慮に入れないそれぞれのメッシュの開放空間に関する。同様に、本発明の目的における用語「メッシュサイズ」はメッシュの穴のサイズ、すなわち繊維、または塗布された繊維を考慮に入れないそれぞれのメッシュの開放空間を意味する。
【０１４７】
本発明のこの実施形態による繊維ネット製品は欧州特許出願０８１６１４５６号に記載されている。
【０１４８】
本発明による繊維製品、特に本発明によるネットを製造するために使用する繊維の太さは、ネットの目的とする特性に従い当業者により選択される。一般に、繊維がより太くなるとネットの機械的安定性はそれだけ増すが、一方で、繊維被覆面積の割合と比較して開放空間の割合はメッシュサイズの減少に伴い減少する。一般に、繊維の太さは、ネットの開放空間がネットの少なくとも２０％、好適には少なくとも４０％、特には少なくとも５０％となるようにすべきである。上記の種類のネットは市販されている。
【０１４９】
好適には、使用するネットは単一層のネットの形態をとることができる。しかしながら、それらはまた、スペーサーファブリックとして知られるものの形態をとっても良く、これは、２つのネットが個々の織糸によりお互いに結合されて２層を形成しているものである。
【０１５０】
本発明による保護構造体は、害虫の寄生に対し影響を受けやすい、植物、例えばコーヒー、乾燥果実、ココア、ナッツ、茶、穀物および香辛料（スパイス）から得られる食物や他の製品のような、いずれの種類の貯蔵貨物に対しても有用である。好適な実施形態では、それは、たばこ、たばこ梱またはその他のたばこ製品を保護することに使用される。それは、あらゆる種類のたばこ、例えばニコチアナロスチカ(Nicotiana rostica)およびニコチアナタバカム(Nicotiana tabacum)、特に、ダークたばこ(dark tobacco)、ブライトたばこ(bright tobacco)、バーレーたばこ(burley tobacco)、シェードたばこ(shade tobacco)およびペリック(Perique)から製造されたたばこを保護するために使用することができる。
【０１５１】
構造体は、たばこを、たばこの輸送および貯蔵中に遭うあらゆる種類の害虫から、特に昆虫、甲虫、ガおよびダニのような貯蔵害虫から保護するために有用である。
【０１５２】
このような害虫は、
タバコシバンムシ（Ｌａｓｉｏｄｅｒｍａ  ｓｅｒｒｉｃｏｒｎｅ）、タバコガ（ｔｏｂａｃｃｏ  ｍｏｔｈ）（チャマダラメイガ（Ｅｐｈｅｓｐｈａ  ｅｌｕｔｅｌｌａ））、ヒラタコクヌストモドキ（Ｔｒｉｂｏｌｉｕｍ  ｃｏｎｆｕｓｕｍ）、コクヌストモドキ（Ｔｒｉｂｏｌｉｕｍ  ｃａｓｔａｎｅｕｍ）、ノコギリヒラタムシ（Ｏｒｙｚａｅｐｈｉｌｕｓ  ｓｕｒｉｎａｍｅｎｓｉｓ）、チャイロコメゴミムシダマシ（Ｔｅｎｅｂｒｉｏ  ｍｏｌｉｔｏｒ）、ガイマイゴミムシダマシ（Ａｌｐｈｉｔｏｂｉｕｓ  ｄｉａｐｅｒｉｎｕｓ）、グラナリアコクゾウムシ（Ｓｉｔｏｐｈｉｌｕｓ  ｇｒａｎａｒｉｕｓ）、キクイムシ（コナナガシンクイ（Ｒｈｙｚｏｐｅｒｔｈａ  ｄｏｍｉｎｉｃａ））、コクゾウ（Ｓｉｔｏｐｈｉｌｕｓ  ｚｅａｍａｉｓ）、コクゾウムシ（ココクゾウ（Ｓｉｔｏｐｈｉ−ｌｕｓ  ｏｒｙｚａｅ））、バクガ（Ｓｉｔｏｔｒｏｇａ  ｃｅｒｅａｌｅｌｌａ）、ノシメマダラメイガ（Ｐｌｏｄｉａ  ｉｎｔｅｒｐｕｎｃｔｅｌｌａ）、ジンサンシバンムシ（Ｓｔｅｇｏｂｉｕｍ  ｐａｎｉｃｅｕｍ）、コクヌストモドキ（ｃａｄｅｌｌｅ  ｂｅｅｔｌｅ）（コクヌスト（Ｔｅｎｅｂｒｏｉｄｅｓ  ｍａｕｒｉｔａｎｉｃｕｓ））、ロングヘッドフラワームシ（ｌｏｎｇｈｅａｄｅｄ  ｆｌｏｕｒ  ｂｅｅｔｌｅ）（ラテチカスオリザエ（Ｌａｔｈｅｔｉｃｕｓ  ｏｒｉｚａｅ））、コメノゴミムシダマシ（Ｔｅｎｅｂｒｉｏ  ｏｂｓｃｕｒｕｓ）、カツオブシムシ（ｄｅｒｍｅｓｔｉｄ  ｂｅｅｔｌｅｓ）、例えば：ヒメカツオブシムシ（ｂｌａｃｋ  ｃａｒｐｅｔ  ｂｅｅｔｌｅ）、オビカツヲブシムシ（ｌａｒｄｅｒ  ｂｅｅｔｌｅ）、ワードローブムシ（ｗａｒｄｒｏｂｅ  ｂｅｅｔｌｅ）、オッドムシ（ｏｄｄ  ｂｅｅｔｌｅ）、ハラジロカツオブシムシ（ｈｉｄｅ  ｂｅｅｔｌｅ）、キマダラカツオブシムシ（ｗａｒｅｈｏｕｓｅ  ｂｅｅｔｌｅ）、ニセセマルヒョウホンムシ（ｓｐｉｄｅｒ  ｂｅｅｔｌｅｓ）、ゾウムシ（ｗｅｅｖｉｌｓ）、特にマメゾウムシ（ｂｅａｎ  ｗｅｅｖｉｌ）、穀物ダニ（ｇｒａｉｎ  ｍｉｔｅ）、ブラックフラワームシ（ｂｌａｃｋ  ｆｌｏｕｒ  ｂｅｅｔｌｅ）、カクムネヒラタムシ（ｆｌａｔ  ｇｒａｉｎ  ｂｅｅｔｌｅｓ）、ショウジョウバエ（ｆｒｕｉｔ  ｆｌｉｅｓ）、ショウジョウバエ（ｖｉｎｅｇａｒ  ｆｌｉｅｓ）、コクゾウムシ（ｒｕｓｔｙ  ｇｒａｉｎ  ｂｅｅｔｌｅ）、コキノコムシ（ｈａｉｒｙ  ｆｕｎｇｕｓ  ｂｅｅｔｌｅ）、カクムネヒラタムシ（ｆｌａｔ  ｇｒａｉｎ  ｂｅｅｔｌｅ）、ケシキスイ（ｓａｐ  ｂｅｅｔｌｅｓ）、シバンムシ（ｄｅａｔｈｗａｔｃｈ  ｂｅｅｔｌｅｓ）、ゴミムシダマシ（ｄａｒｋｌｉｎｇ  ｂｅｅｔｌｅｓ）、およびヒゲブトコキノコムシ（ｆｕｎｇｕｓ  ｂｅｅｔｌｅｓ）を含む。
【０１５３】
本発明による構造体は、たばこ貯蔵における２つの主な害虫である、タバコシバンムシ(Lasioderma serricorne)およびタバコガ(tobacco moth)（チャマダラメイガ(Ephespha elutella)）の制御のために特に有用である。
【０１５４】
本発明は以下の実施例によりさらに説明されるが、それにより発明が制限されることはない。
【実施例】
【０１５５】
図面の詳細な説明
図１ａは、枠部分１２を使用して構成された支持枠１０の底面を示す。４つの示された枠部分１２は、長方形の形状の枠を形成する。枠部分１２は結合要素１４により互いに結合される。好適な実施形態では、結合要素１４はコーナーブラケット２６として構成され、枠部分１２は押出形材部品１８により形成される。
【０１５６】
この説明では、連結要素は好適な手段により２つの部分を連結するまたは結合するための要素である。これらの手段は、ブラケット、クランプ、プレート、ボルト、ねじおよび／またはナットを含む。
【０１５７】
結合要素は、支持枠１０の２つの枠部分１２を結合するために適応される連結要素である。
【０１５８】
この説明における固定要素は、１部分を貯蔵所１の構造要素に任意の好適な手段により固定するための要素である。これらの手段は、ブラケット、クランプ、プレート、ボルト、ねじ、ナット、ホックおよび／またはリングを含む。
【０１５９】
この説明における結合要素は、２つの部分を連結要素により結合することができるようにその２つの部分の隙間を埋めるための要素である。好適な結合要素は、ロープ、鎖、ケーブル、桁、柱および／またはくいを含む。
【０１６０】
用語「固定要素」は、１部分を別の部分に固定するために適応される要素を示す。好適な固定要素は、ねじ、ナット、くぎおよび／またはにかわを含む。
【０１６１】
図１ｂは、図１ａの支持枠の上面図を示す。示された実施形態では、６つの連結要素１６が、上記支持枠を支持枠を吊るすための手段３５に連結するために支持枠１０上に準備される。備えられる連結要素１６の数は、支持枠１０の重さ、取り付けられるネット３０の重さおよび貯蔵所１の壁／天井／床の積載許容量を含む多くの要因に依存して異なり得る。
【０１６２】
図１ｃは、支持枠１０の別の好適な実施形態を示し、ここで、支持枠１０は柔軟な枠部分１２ｂと硬い部分１２ａを含む。３つの柔軟な枠部分１２ｂはロープ１９により形成され、強固な枠部分１２ａは押出形材部品１８により形成される。異なる枠部分１２を結合するための結合要素１４は、ロープ１９により形成される２つの柔軟な部分１２ｂを結合する２つのリング２９およびロープ１９により形成される柔軟な枠部分１２ｂを押出形材部品１８により形成される強固な枠部分１２ａに連結するホック２８を含む。
【０１６３】
本発明の支持枠１０の更なる実施形態では、支持枠は３つの枠部分１２を含み、三角形を形成する。
【０１６４】
本発明の支持枠１０の更なる実施形態では、支持枠は１以上の湾曲型枠部分１２を更に含む。
【０１６５】
本発明の別の実施形態では、支持枠１０は、４つよりも多い枠部分１２を含み、多角形の形状の支持枠を与える。
【０１６６】
図２ａは、支持枠１０の２つの枠部分１２を結合するように構成された結合要素１４の実施形態を示す。支持枠１０の２つの示された枠部分１２は、押出形材部品１８により形成される。押出形材部品１８は溝２０を含み、２つのＴ溝ナット２２を支えるのに適応される。コーナーブラケット２６は２つの枠部分１２上に配置され、ねじ２４およびＴ溝ナット２２を使用して押出形材部品１８に固定される。支持枠１０により囲まれた領域は、ねじ２４をしめる前にコーナーブラケット２６を溝２０の１つに沿って動かすことにより調節することができる。
【０１６７】
図２ｂは、支持枠１０の２つの枠部分１２を結合するために使用される結合要素１４の別の実施形態を示す。押出形材部品１８は、４面上に溝２０を含む枠部分１２を形成する。押出形材部品１８の１つは、第２の押出形材部品１８に面する溝２０において２つのＴ溝ナットで取り付けられる。第２の押出形材部品１８は、１面ごとの２つの溝２０において２つの固定要素２３で取り付けられる。その後、固定要素２３およびＴ溝ナットはねじ２４を使用して結合される。
【０１６８】
図３ａは、連結要素１６および取り付けられるネット３０を有する押出形材部品１８の断面図を示す。押出形材部品１８は、全ての４つの面上に溝２０を含む。押出形材部品１８の上面上の溝２０は、Ｔ溝ナット２２、ホック２８、ナット２５およびケーブル３４を含む、連結要素１６を支える。Ｔ溝ナット２２は、押出形材部品１８の溝２０に差し込まれ、ホック２８を支える。ナット２５はホック２８を固定する。ケーブル３４は、糸結び、溶接、はんだ付け、クランピングまたは同様の手段によりホックに取り付けられる。ネット３０は、枠部分１２に、ネット３０を圧縮クランプ３２と一緒に溝２０に差し込むことによって取り付けられ、固定される。ネット上の積載量が圧縮クランプ３２の締付力を超えた場合は、圧縮クランプ３２は枠部分１２からネット３０を解放し、したがって、簡単で有効な保護が、ネットが絡まった場合に構造崩壊から支持枠１０を保護するために提供される。
【０１６９】
図３ｂは、単一の３次元ネットを取り付けた図３ａの押出形材部品１８を示す。押出形材部品１８は、全ての４つの面上に溝２０を含む。押出形材部品１８の上面上の溝２０は、Ｔ溝ナット２２、ホック２８、ナット２５およびケーブル３４を含む、連結要素１６を支える。Ｔ溝ナット２２は、押出形材部品１８の溝２０に差し込まれ、ホック２８を支える。ナット２５はホック２８を固定する。ケーブル３４は、糸結び、溶接、はんだ付け、クランピングまたは同様の手段によりホックに取り付けられる。単一の３次元ネット３０は、枠部分１２に、ネット３０を圧縮クランプ３２と一緒に溝２０に差し込むことによって取り付けられ、固定される。３次元ネット３０は貯蔵構造体の頂部および４つの面を覆う。
【０１７０】
図４ａ、ｂおよびｃは、支持枠を吊るすための手段３５の３つの異なる実施形態を示す。図４に示されるようなこれらの手段は、貯蔵所１の天井６に取り付けられるが、支持枠１０を貯蔵所１の壁５から吊るすために使用することもできる。これらの実施形態のいずれが好適であるかは、貯蔵所１およびそこに使用される構造要素に依存する。手段３５は本質的に３つの構成要素を含む。第１は、支持枠を吊るすための手段３５を貯蔵所１の構造要素に取り付けるための好適な固定要素３５ａである。第２および第３の部分は、連結要素３５ｂおよび支持枠１０に取り付けるための結合要素３５ｃである。固定状況に依存して、支持枠を吊るすための手段３５は１よりも多い各要素を含むことができる。
【０１７１】
図４ａは、エンドプレート４２を有するクランプ４０を貯蔵所１の構造要素の中空部分３８に取り付けることによる支持枠を吊るすための手段３５の実施形態を示す。図４ａにおいて示される実施形態では、中空部分が円の形状であるが、クランプ４０はいずれの形の中空部分にでも合うように適応することができる。固定要素４９はエンドプレート４２に取り付けられ、ケーブル３４を支える。その後、ケーブル３４は支持枠１０の連結要素１６に取り付けることができる。
【０１７２】
図４ｂは、２以上のクランプ４０を貯蔵所１の構造要素のＩ型の桁４４に取り付けることによる支持枠を吊るすための手段３５の別の実施形態を示す。必要なクランプ４０の数は積載量に依存して異なる。クランプはエンドプレート４２をＩ型の桁４４に固定する。エンドプレート４２はケーブル３４を取り付けるための連結要素４９を支える。
【０１７３】
図４ｃは、エンドプレート４２を貯蔵所１のコンクリート構造４６に取り付けることによる支持枠を吊るすための手段３５の別の実施形態を示す。示された実施例では、ボルト４８はエンドプレート４２をコンクリート構造に固定するための固定要素として使用される。エンドプレート４２はケーブル３４を取り付けるための連結要素４９を支える。
【０１７４】
図５は、本発明の吊るされた状態における支持枠１０および支持枠を吊るすための手段３５の実施形態を示す。支持枠を吊るすための手段３５は貯蔵所１の天井に取り付けられ、ケーブル３４を支えるための滑車３６を含む。ケーブル３４は連結要素１６を使用して支持枠１０に取り付けられる。追加の案内滑車３７はまた、天井６に取り付けられる。ケーブル３４は支持枠を吊るすための手段３５の滑車３６まで上がり、案内滑車３７を使用して地面の方に戻る。支持枠１０はケーブル３４を引っ張ることにより持ち上げることができる。一度支持枠１０を目的の位置にすれば、支持枠１０をその場所に留めるための好適な手段のいずれかを使用して、ケーブル３４を固定することができる。
【０１７５】
図６ａは、ネット３０が取り付けられた、吊るされた状態における支持枠１０により形成された貯蔵構造体２を示す。支持枠１０は、好適な支持枠を吊るすための手段３５に取り付けられたケーブル３４を使用して天井から吊るされる。ネット３０は、支持枠１０の全ての４つの側面に取り付けられ、ネット３０は支持枠１０の頂部を覆う。
【０１７６】
本発明の好適な実施形態では、単一の３次元ネット３０は隙間が全くない状態で支持枠１０の全ての４つの側面および頂部を覆う。
【０１７７】
図６ｂに、貯蔵構造体２の一部を示す。貨物５０は貯蔵構造体２の内部に置かれている。図６ｂではネット３０の１つが見える。このネット３０は支持枠１０の１側面に取り付けられている。支持枠のサイズは、ネット３０が貨物５０に触れないように選択される。図６ｂにおいて見ることができるように、ネット３０の一部分５２が貯蔵所１の床４上に溜まるように、ネット３０の長さは貯蔵構造体２の高さよりも長い。
【０１７８】
図７ａは、貯蔵構造体２の実施形態を示す。ネット３０は、支持枠１０の全ての４つの側面に取り付けられ、ネット３０は支持枠１０の頂部を覆う。支持枠１０の枠部分１３に取り付けられたネット３０は、部分的に持ち上げられる。支持枠１０の枠部分１３はネット３１を開閉するための手段を含む。これらの手段は枠部分１３上に設置されたモーター５４を含む。ネット３１は、モーター５４がネット３１を昇降することができるようにモーター５４に連結されたロープ５８を含む。示された実施形態では、ネット３１はプーリングバー５６を更に含む。プーリングバー５６は、ネットを均一に持ち上げることを確実にする。ネット３１が十分に多数のロープ５８を含む場合、プーリングバー５６は省くことができる。モーター５４は遠隔操作６０、６２により制御される。有線式遠隔操作６０は、フォークリフトに乗ったままで貯蔵所の作業者により操作することができるように貯蔵所の天井から吊るされている。加えて、無線式遠隔操作６２もまた装備される。
【０１７９】
図７ｂは、ロープ５８が支持枠１０から吊るされ、ネット３０を保持するストラップを形成する、本発明の別の実施形態を示す。好適な実施形態では、ローラー９４は、重りとしてロープ５８に取り付けられる。その後、ネット３０は、手動またはモーター５４の使用のいずれかでロープ５８の一方の端を引っ張ることにより持ち上げることができる。ロープ５８の一方を引っ張ることはストラップのサイズを短くし、したがってネットが持ち上がる。ロープ５８をネット３０の底部に固定する必要がないので、この実施形態はネット３０の簡単な交換を可能とする。
【０１８０】
図７ｃは、支持枠１０および３次元ネット３０を有する貯蔵構造体２を示す。ネット３０の仕立ての様式は参照番号１００で示される。矢印１０２は、継目の位置を示す。貯蔵構造体２の１面のネット３０は、ロープ５８およびモーター５４を使用して持ち上げられている。
【０１８１】
図７ｃに示されるように、ネット３０の前面部分を持ち上げることはまた、ネット３０の他の面にも影響を及ぼし、はっきりとした開口部分が形成されない。
【０１８２】
図７ｄは、支持枠１０および３次元ネット３０を有する貯蔵構造体２を示す。ネット３０の仕立ての様式は参照番号１１０で示される。ここで、追加のネット材料１０６が位置１０４で３次元ネット中に差し込まれる。位置１０４は、貯蔵構造体２を開けるための手段により開けられる面と２つの隣接する側面との間の継目１０２の位置またはその近くに位置する。図に示されている本発明の実施形態では、追加のネット材料１０６は三角形の形状である。他の好適な形状として、長方形、正方形および円の１部分がある。
【０１８３】
図７ｄにおいて見ることができるように、追加のネット材料１０６はネット３０がおよそ長方形の形状のはっきりとした開口部分を形成することを可能にする。
【０１８４】
図８ａは、押出形材部品１８の更なる実施形態を示す。押出形材部品１８は１面に溝６５を備える。下面には溝６４が準備され、溝６４は、ローラー６６に取り付けられたネット３０を支える。３次元ネット３０はストラップ９２およびローラー６６に取り付けられたホック９０を使用してローラー６６に取り付けられる。ローラー６６は、ネットを取り付けの間動かすことおよびカーテンと同じように引くことを可能とする。押出形材部品１８の上面には、つぎ結合７０を使用してブラケット６８が取り付けられる。ブラケット６８は、支持枠を吊るすための手段３５に連結するケーブル３４を支える。
【０１８５】
図８ｂは、ネット３０が完全に取り付けられている押出形材部品１８を示す。３次元ネット３０は、ローラー６６を使用して正しい位置に移動されている。ネット３０のたわみを減少するために、ネット３０を押出形材部品１８の溝６４に差し込むことによりネット３０をしっかりと張ることが好ましい。圧縮クランプ３２は、ネット３０をしっかりと張った位置に保持する。
【０１８６】
図９は、支持枠１０の２つの押出形材部品１８を結合するために適応される結合要素１４の別の実施形態を示す。形材部品１８の上面はブラケット７２を支えるためのありつぎ結合７０が備えられている。その後、２つのブラケット７２は角ブラケット７４および好適な固定手段、例えば、ねじ２４およびナット２５を使用して結合される。
【０１８７】
図１０は、図８および９において示されるような支持枠１０上のネット３０の展開を示す。ネット３０は支持枠１０にすでに取り付けられており、支持枠１０は吊るされた状態である。
【０１８８】
図１０ａは、支持枠１０を有する貯蔵構造体２であって、全てのネット３０を完全に引込めている状態を示す。貯蔵構造体２の４つの面上のネット３０は、支持枠１０を形成している押出形材部品１８の溝６４により支えられているローラー６６に取り付けられている。支持枠１０の頂部を覆うネット３０は、支持枠１０の押出形材部品１８の１つの溝６５の中に差し込まれている。
【０１８９】
図１０ｂは、ネットの展開を示す。貯蔵構造体２の側面上のネット３０はカーテンと同じように引くことができる。矢印７６は、ネット３０の展開の方向を示す。支持枠１０の頂部を覆うネット３０は、ネット３０取り付けられている押出形材部品１８から支持枠１０の反対側の押出形材部品１８にまたがる案内ロープ７７を更に含む。案内ロープ７７はネット３０を支持し、案内することによりネット３０の展開段階を助ける。
【０１９０】
図１０ｃは、支持枠１０を有する貯蔵構造体２であって、ネット３０が完全に展開されている状態を示す。支持枠１０の頂部を覆うネット３０は、この状態では圧縮クランプ３２を使用して支持枠１０の４つの押出形材部品１８全てに固定される。
【０１９１】
貯蔵構造体２の１側面上のネット３０は、ネットをカーテンと同じように引くことにより開けることができる。ネット３０の開ける必要のない部分は、クランプ７９を使用してお互いに更に連結される。
【０１９２】
本発明の更なる実施形態では、支持枠１０の枠部分１２の１つはネットの開閉の自動化の為のモーター５４を含む。
【０１９３】
図１１では、本発明の別の実施形態が示される。支持枠１０は、押出形材部品１８を使用して支持枠を吊るすための手段３５に連結される。横桁７８は補強のために備えられる。
【０１９４】
図１２は、本発明の更なる実施形態を示す。支持枠１０は、壁５に固定するために適応される支持枠を吊るすための手段３５を使用して、貯蔵所１の側壁５から吊るされる。支持枠１０は、ケーブル３４および滑車３６により支持枠を吊るすための手段３５に連結される。支持枠１０は、ケーブル３４を引っ張ることにより持ち上げられる。その後、支持枠１０はケーブル３４を固定することにより、目的とする高さに固定される。
【０１９５】
図１３は、２つの強固な枠部分１２ａおよび２つの柔軟な枠部分１２ｂを含む支持枠１０を示す。支持枠１０は、支持枠を吊るすための手段３５により吊るされる。支持枠を吊るすための手段３５は、貯蔵所１の床４上に配置するために適応される。吊るすための手段３５は足部８１および蝶番８２および柱８３を含む、折りたたみ式台８０として構成される。示された実施形態では、折りたたみ式台８０は、支持枠１０の各角に一つずつ、柱８３として４つの押出形材部品１８を含む。４つの柱８３のそれぞれは、蝶番８２を使用して足部８１に固定されている。蝶番８２は、柱８３が旋回することを可能にし、したがって、折りたたみ式台８０の折りたたみが可能となる。
【０１９６】
図１３ａは、支持枠１０を有する台８０の組み立てを示す。本発明の１つの実施形態では、ネット３０は台８０が組み立てられる前に支持枠１０に取り付けられる。本発明の別の実施形態では、ネット３０は台８０が組み立てられた後に支持枠１０に取り付けられる。支持枠１０の２つの強固な枠部分１２ａのそれぞれは、折りたたみ式台８０の２つの柱８３上に固定される。２つの強固な枠部分１２ａは柔軟な枠部分１２ｂに連結され、支持枠１０を形成する。柔軟な枠部分１２ｂは、折りたたみ式台８０に固定される間、支持枠１０が折れ曲がることを可能にする。折りたたみ式台８０が折りたたまれている状態の間、支持枠は貯蔵所１の床４上に置かれている。支持枠１０を吊るすために、台８０の柱８３を組み立てる。支持枠１０は持ち上げられ、支持枠１０の柔軟な部分１２ｂは張られるる。本発明の好適な実施形態では、台８０は好適な手段により貯蔵所の基部に固定される。好適な手段はボルト、クランプおよび／またはねじを含む。
【０１９７】
図１３ｂは、台８０の組み立てた状態を示す。台の蝶番８２は、本質的に垂直の状態で柱８３を保持するように固定され、足部８１は好適な手段により貯蔵所１の床に固定される。強固な枠部分１２ａおよび柔軟な枠部分１２ｂを有する支持枠１０は支持台８０により吊るされ、ネット３０を保持する。１つのネット３０は支持枠１０の４つの面のそれぞれに取り付けられ、１つのネット３０は支持枠１０の頂部を覆う。組み立てられた貯蔵構造体２は、台８０、支持枠１０およびネット３０を含む。枠部分１３に取り付けられたネット３０は、枠部分１３のネット３０をモーター５４により持ち上げることができるように、ロープ５８およびプーリングバー５６を備える。
【０１９８】
本発明の別の好適な実施形態では、台８０は蝶番の代わりに可膨張性の柱８０を含む。これは、台８０の重量を大きく減少し、圧縮空気を使用する柱８０の膨張により迅速な取り付けを可能にする。
【０１９９】
図１４は、本発明の支持枠１０の別の実施形態を示す。支持枠１０は枠部分１２に加えて横桁７８を含む。加えられた横桁７８は、より重い積載量を支えることができるように、かつ、支持枠１０の不必要な動きを減少するように、支持枠１０の強度および剛性を上げる。
【０２００】
図１５ａは、支持枠を吊るすための手段３５の別の実施形態を示す。支持枠１０の目的とする位置は、貯蔵所１の構造要素４６の直下ではない。支持枠を吊るすための手段３５は、好適な固定手段３５ａにより貯蔵所１の天井６のコンクリート構造４６に取り付けられる。支持枠１０は、結合要素３５ｃとして押出形材部品１８を使用して取り付けられる。結合要素３５ｃにおけるクロスバー７８は、支持枠１０の吊り下げを示された位置にすることを可能にする。好適には、支持枠を吊るすための手段３５は、天井に対する荷重が２ｋｇ／ｍ２を超えないように準備される。
【０２０１】
図１５ｂは、支持枠を吊るすための手段３５の別の実施形態を示す。図１５ａに示された状況と同じように、支持枠１０の目的とする位置上に位置する、貯蔵所１の好適な構造要素４６は存在しない。吊るすための手段３５はクロスケーブル８６を含み、支持枠１０の吊り下げを示された位置にすることを可能にする。
【０２０２】
図１６はいくつかの貯蔵構造体２を有する貯蔵所１の配置の概念図を示す。貯蔵所１の天井６はいくつかのコンクリート構造４６を含む。図１６に示されたようなコンクリート構造４６の間隔は、貯蔵所１の天井６に固定するために適応される支持枠を吊るすための手段３５のみを使用して、支持枠１０の吊り下げを目的の位置にすることを可能にするためには大きすぎる。図１６は、貯蔵所１の壁５に固定するために適応される固定要素３５ａを有する吊るすための手段３５を更に示す。図１６に示される結合要素３５ｃは貯蔵所１の全体の長さに架かり、第２の固定要素３５ａにより反対側の壁に固定される。連結要素１６は、支持枠１０を結合要素３５ｃに連結する。
【０２０３】
図１７は、本発明の支持枠１０の強固な枠部分１２の２つの更なる実施形態を示す。
【０２０４】
図１７ａでは、強固な枠部分１２は、２つの押出形材部品１８を積み重ねることにより形成される。２つの押出形材部品１８は、好適な連結要素４８により結合される。連結要素１６は、枠部分１２を支持枠を吊るすための手段３５の結合要素３５ｃに連結する。ネット３０は、圧縮クランプ３２を使用して押出形材部品１８に取り付けられる。枠部分１２は、単一の押出形材部品１８から構成される枠部分と比較して増加した強度を有する。積載許容量および枠部分１２により架けることができる距離は大きくなる。
【０２０５】
図１７ｂでは、強固な枠部分１２は、３つの押出形材部品１８を積み重ねることにより形成される。３つの押出形材部品１８は、好適な連結要素４８により結合される。連結要素１６は、枠部分１２を支持枠を吊るすための手段３５の結合要素３５ｃに連結する。ネット３０は、圧縮クランプ３２を使用して押出形材部品１８に取り付けられる。最大積載許容量および枠部分１２により架けることができる最大距離は更に大きくなる。
【図１】
0005980917.tif 000004
【図２】
0005980917.tif 000005
【図３ａ】
0005980917.tif 000006
【図３ｂ】
0005980917.tif 000007
【図４】
0005980917.tif 000008
【図５】
0005980917.tif 000009
【図６】
0005980917.tif 000010
【図７ａ】
0005980917.tif 000011
【図７ｂ】
0005980917.tif 000012
【図７ｃ−ｄ】
0005980917.tif 000013
【図８】
0005980917.tif 000014
【図９】
0005980917.tif 000015
【図１０】
0005980917.tif 000016
【図１１】
0005980917.tif 000017
【図１２】
0005980917.tif 000018
【図１３】
0005980917.tif 000019
【図１４】
0005980917.tif 000020
【図１５】
0005980917.tif 000021
【図１６】
0005980917.tif 000022
【図１７】
0005980917.tif 000023